(57)【特許請求の範囲】
【請求項１】
複数の利用者から構成されるグループが施設において商取引を行う際の支払い総額を当該グループを構成する利用者が負担する支払い金額に分割して支払い処理を行うサーバ装置であって、通信手段を介して複数の携帯端末と通信を行うことが可能なサーバ装置を備える支払い処理システムにおいて、
前記サーバ装置は、
前記利用者の電子マネーのバリューを当該利用者毎に固有の利用者識別情報に対応付けて記憶する記憶手段と、
前記複数の携帯端末のうち何れか一の携帯端末から送信された識別情報発行要求であって当該一の携帯端末の利用者の前記利用者識別情報、及び前記支払い総額を示す総額情報を含み、さらに、前記利用者の人数を示す人数情報、または、前記支払い総額が前記利用者の人数で除された支払い金額を示す支払金額情報を含む前記識別情報発行要求を受信した場合に、支払い処理毎に固有の支払い識別情報を発行する発行手段と、
受信された前記識別情報発行要求に含まれる前記利用者識別情報及び前記総額情報と、前記発行手段により発行された前記支払い識別情報とを対応付けて登録し、且つ、前記支払い総額が前記人数情報に示される前記人数で除された支払い金額、または、前記支払金額情報に示される支払い金額を、各利用者が負担する前記支払い金額として、当該支払い金額を示す支払金額情報を、前記支払い識別情報に対応付けて登録する第１の登録手段と、
前記第１の登録手段により登録された前記支払い識別情報、及び前記支払金額情報を前記一の携帯端末へ送信する第１の送信手段と、
を備え、
前記サーバ装置から前記支払い識別情報、及び前記支払金額情報を受信した前記一の携帯端末は、当該支払い識別情報、及び前記支払金額情報を無線通信により他の携帯端末へ送信する第２の送信手段を備え、
前記一の携帯端末から前記支払い識別情報、及び前記支払金額情報を受信した前記他の携帯端末は、
前記支払金額情報に基づいて当該他の携帯端末の利用者が負担する支払い金額を当該利用者に提示する第１の提示手段と、
前記第１の提示手段により提示された前記支払い金額の承認指示が前記利用者からあった場合に、当該承認を示す承認情報、当該他の携帯端末の利用者の前記利用者識別情報、及び前記支払い識別情報を含む承認登録要求を前記サーバ装置へ送信する第３の送信手段と、
を備え、
前記他の携帯端末から前記承認登録要求を受信した前記サーバ装置は、
受信された承認登録要求に含まれる前記承認情報及び前記利用者識別情報を、前記第１の登録手段により登録された前記支払い識別情報に対応付けて登録する第２の登録手段と、
前記第１の登録手段により登録された前記支払い識別情報に対応付けられて登録されている前記承認情報に基づき前記他の携帯端末の利用者による前記支払い金額の承認状況を示す承認状況情報を取得する取得手段と、
前記取得手段により取得された前記承認状況情報を前記一の携帯端末へ送信する第４の送信手段と、
を備え、
前記サーバ装置から前記承認状況情報を受信した前記一の携帯端末は、
前記承認状況情報に示される承認状況を前記利用者に提示する第２の提示手段と、
前記第２の提示手段により前記承認状況が前記利用者に提示された後に、当該利用者の前記利用者識別情報を前記施設の決済処理端末、または前記サーバ装置へ送信する第５の送信手段と、
を備え、
前記決済処理端末または前記一の携帯端末から前記利用者識別情報を受信した前記サーバ装置は、当該利用者識別情報に対応付けられて登録されている情報に基づいて前記一の携帯端末の利用者と前記承認情報を送信した前記他の携帯端末の利用者のそれぞれが負担する支払い金額を特定し、当該特定した支払い金額と当該利用者のそれぞれの前記電子マネーのバリューとを用いて支払い処理を実行する支払い処理手段を備えることを特徴とする支払い処理システム。
【請求項２】
複数の利用者から構成されるグループが施設において商取引を行う際の支払い総額を当該グループを構成する利用者が負担する支払い金額に分割して支払い処理を行うサーバ装置であって、通信手段を介して複数の携帯端末と通信を行うことが可能なサーバ装置を備える支払い処理システムにおいて、
前記サーバ装置は、
前記利用者の電子マネーのバリューを当該利用者毎に固有の利用者識別情報に対応付けて記憶する記憶手段と、
前記複数の携帯端末のうち何れか一の携帯端末から送信された識別情報発行要求であって当該一の携帯端末の利用者の前記利用者識別情報、前記支払い総額を示す総額情報、及び当該一の携帯端末において入力された、当該一の携帯端末の利用者が負担する支払い金額を示す支払金額情報を含む前記識別情報発行要求を受信した場合に、支払い処理毎に固有の支払い識別情報を発行する発行手段と、
受信された前記識別情報発行要求に含まれる前記利用者識別情報、前記総額情報、及び前記支払金額情報と、前記発行手段により発行された前記支払い識別情報とを対応付けて登録する第１の登録手段と、
前記第１の登録手段により登録された前記支払い識別情報を前記一の携帯端末へ送信する第１の送信手段と、
を備え、
前記サーバ装置から前記支払い識別情報を受信した前記一の携帯端末は、当該支払い識別情報を無線通信により他の携帯端末へ送信する第２の送信手段を備え、
前記一の携帯端末から前記支払い識別情報を受信した前記他の携帯端末は、当該他の携帯端末において入力された支払い金額であって、当該他の携帯端末の利用者が負担する前記支払い金額を当該利用者に提示する第１の提示手段と、
前記第１の提示手段により提示された前記支払い金額の承認指示が前記利用者からあった場合に、当該承認を示す承認情報、当該他の携帯端末の利用者の前記利用者識別情報、前記入力された前記支払い金額を示す支払金額情報、及び前記支払い識別情報を含む承認登録要求を前記サーバ装置へ送信する第３の送信手段と、
を備え、
前記他の携帯端末から前記承認登録要求を受信した前記サーバ装置は、
受信された承認登録要求に含まれる前記承認情報、前記利用者識別情報、及び前記支払金額情報を、前記第１の登録手段により登録された前記支払い識別情報に対応付けて登録する第２の登録手段と、
前記第１の登録手段により登録された前記支払い識別情報に対応付けられて登録されている前記承認情報に基づき前記他の携帯端末の利用者による前記支払い金額の承認状況を示す承認状況情報を取得する取得手段と、
前記取得手段により取得された前記承認状況情報を前記一の携帯端末へ送信する第４の送信手段と、
を備え、
前記サーバ装置から前記承認状況情報を受信した前記一の携帯端末は、
前記承認状況情報に示される承認状況を前記利用者に提示する第２の提示手段と、
前記第２の提示手段により前記承認状況が前記利用者に提示された後に、当該利用者の前記利用者識別情報を前記施設の決済処理端末、または前記サーバ装置へ送信する第５の送信手段と、
を備え、
前記決済処理端末または前記一の携帯端末から前記利用者識別情報を受信した前記サーバ装置は、当該利用者識別情報に対応付けられて登録されている情報に基づいて前記一の携帯端末の利用者と前記承認情報を送信した前記他の携帯端末の利用者のそれぞれが負担する支払い金額を特定し、当該特定した支払い金額と当該利用者のそれぞれの前記電子マネーのバリューとを用いて支払い処理を実行する支払い処理手段を備えることを特徴とする支払い処理システム。
【請求項３】
複数の利用者から構成されるグループが施設において商取引を行う際の支払い総額を当該グループを構成する利用者が負担する支払い金額に分割して支払い処理を行うサーバ装置であって、通信手段を介して複数の携帯端末と通信を行うことが可能なサーバ装置を備える支払い処理システムにおいて、
前記サーバ装置は、
前記利用者の電子マネーのバリューを当該利用者毎に固有の利用者識別情報に対応付けて記憶する記憶手段と、
前記複数の携帯端末のうち何れか一の携帯端末から送信された識別情報発行要求であって前記複数の携帯端末それぞれの利用者の前記利用者識別情報、他の携帯端末の利用者の途中参加時刻、及び前記支払い総額を示す総額情報を含む前記識別情報発行要求を受信した場合に、支払い処理毎に固有の支払い識別情報を発行する発行手段と、
受信された前記識別情報発行要求に含まれる前記利用者識別情報、前記途中参加時刻、及び前記総額情報と、前記発行手段により発行された前記支払い識別情報とを対応付けて登録する第１の登録手段と、
前記途中参加時刻から前記識別情報発行要求を受信した時の利用終了時刻までの時間を前記他の携帯端末の利用者が施設に入ってから支払いまでの経過時間として算出し、前記総額情報に示される前記支払い総額を、前記経過時間に応じて分割することにより、当該経過時間に応じた支払い金額を算出する算出手段と、
前記第１の登録手段により登録された前記支払い識別情報、及び前記算出手段により算出された前記支払い金額を示す支払金額情報を前記一の携帯端末へ送信する第１の送信手段と、
を備え、
前記サーバ装置から前記支払い識別情報、及び前記支払金額情報を受信した前記一の携帯端末は、当該支払い識別情報、及び前記支払金額情報を無線通信により他の携帯端末へ送信する第２の送信手段を備え、
前記一の携帯端末から前記支払い識別情報、及び前記支払金額情報を受信した前記他の携帯端末は、
前記支払金額情報に基づいて当該他の携帯端末の利用者が負担する支払い金額を当該利用者に提示する第１の提示手段と、
前記第１の提示手段により提示された前記支払い金額の承認指示が前記利用者からあった場合に、当該承認を示す承認情報、当該他の携帯端末の利用者の前記利用者識別情報、及び前記支払い識別情報を含む承認登録要求を前記サーバ装置へ送信する第３の送信手段と、
を備え、
前記他の携帯端末から前記承認登録要求を受信した前記サーバ装置は、
受信された承認登録要求に含まれる前記承認情報及び前記利用者識別情報を、前記第１の登録手段により登録された前記支払い識別情報に対応付けて登録する第２の登録手段と、
前記第１の登録手段により登録された前記支払い識別情報に対応付けられて登録されている前記承認情報に基づき前記他の携帯端末の利用者による前記支払い金額の承認状況を示す承認状況情報を取得する取得手段と、
前記取得手段により取得された前記承認状況情報を前記一の携帯端末へ送信する第４の送信手段と、
を備え、
前記サーバ装置から前記承認状況情報を受信した前記一の携帯端末は、
前記承認状況情報に示される承認状況を前記利用者に提示する第２の提示手段と、
前記第２の提示手段により前記承認状況が前記利用者に提示された後に、当該利用者の前記利用者識別情報を前記施設の決済処理端末、または前記サーバ装置へ送信する第５の送信手段と、
を備え、
前記決済処理端末または前記一の携帯端末から前記利用者識別情報を受信した前記サーバ装置は、当該利用者識別情報に対応付けられて登録されている前記総額情報及び前記算出手段により算出された前記支払い金額に基づいて前記一の携帯端末の利用者と前記承認情報を送信した前記他の携帯端末の利用者のそれぞれが負担する支払い金額を特定し、当該特定した支払い金額と当該利用者のそれぞれの前記電子マネーのバリューとを用いて支払い処理を実行する支払い処理手段を備えることを特徴とする支払い処理システム。
【請求項４】
前記サーバ装置は、前記受信された承認登録要求に含まれる前記利用者識別情報に対応する前記利用者により承認された前記支払い金額と、当該利用者識別情報に対応付けられて前記記憶手段に記憶されている前記電子マネーのバリューの残高とを比較し、当該残高が当該承認された前記支払い金額以上あるか否かを判定する判定手段を更に備え、
前記サーバ装置の前記第２の登録手段は、前記判定手段による判定結果を示す情報を、前記受信された承認登録要求に含まれる前記承認情報及び当該利用者識別情報と共に、前記支払い識別情報に対応付けて登録し、
前記サーバ装置の前記取得手段は、前記支払い識別情報に対応付けられて登録されている前記承認情報及び前記判定結果を示す情報に基づき前記他の携帯端末の利用者による前記支払い金額の承認状況を示す承認状況情報であって残高有無を示す情報を含む承認状況情報を取得することを特徴とする請求項１乃至３の何れか一項に記載の支払い処理システム。
【請求項５】
前記一の携帯端末は、前記支払い識別情報を前記他の携帯端末へ送信した後、当該支払い識別情報を含む確認要求であって前記他の携帯端末の利用者による前記支払い金額の承認状況を確認する前記確認要求を前記サーバ装置へ送信する第６の送信手段を備え、
前記サーバ装置の前記取得手段は、前記一の携帯端末から受信された前記確認要求に含まれる前記支払い識別情報に対応付けられて登録されている前記承認情報に基づき前記承認状況情報を取得することを特徴とする請求項１乃至４の何れか一項に記載の支払い処理システム。
【請求項６】
複数の利用者から構成されるグループが施設において商取引を行う際の支払い総額を当該グループを構成する利用者が負担する支払い金額に分割して支払い処理を行うサーバ装置であって、前記利用者の電子マネーのバリューを当該利用者毎に固有の利用者識別情報に対応付けて記憶する前記サーバ装置と通信手段を介して通信可能な携帯端末に含まれるコンピュータに、
前記携帯端末の利用者の前記利用者識別情報、及び前記支払い総額を示す総額情報、並びに、前記利用者の人数を示す人数情報、または、前記支払い総額が前記利用者の人数で除された支払い金額を示す支払金額情報を含む識別情報発行要求を前記サーバ装置に送信するステップと、
前記識別情報発行要求に応じて前記サーバ装置により発行された、支払い処理毎に固有の支払い識別情報と、前記支払い総額が前記人数情報に示される前記人数で除された支払い金額を各利用者が負担する前記支払い金額として示す支払金額情報とを前記サーバ装置から受信するステップと、
受信された前記支払い識別情報、及び前記支払金額情報を無線通信により他の携帯端末へ送信するステップと、
前記支払い識別情報、及び前記支払金額情報を受信した前記他の携帯端末の利用者が負担する支払い金額の承認を示す承認情報を当該他の携帯端末から受信した前記サーバ装置により取得された承認状況情報であって前記他の携帯端末の利用者による前記支払い金額の承認状況を示す承認状況情報を当該サーバ装置から受信するステップと、
受信された前記承認状況情報に示される承認状況を前記携帯端末の利用者に提示した後に、当該利用者の前記利用者識別情報を前記施設の決済処理端末、または前記サーバ装置へ送信するステップと、
を実行させることを特徴とするコンピュータプログラム。
【請求項７】
複数の利用者から構成されるグループが施設において商取引を行う際の支払い総額を当該グループを構成する利用者が負担する支払い金額に分割して支払い処理を行うサーバ装置であって、前記利用者の電子マネーのバリューを当該利用者毎に固有の利用者識別情報に対応付けて記憶する前記サーバ装置と通信手段を介して通信可能な携帯端末に含まれるコンピュータに、
前記携帯端末の利用者の前記利用者識別情報、前記支払い総額を示す総額情報、及び前記携帯端末において入力された支払い金額であって当該携帯端末の利用者が負担する支払い金額を示す支払金額情報を含む識別情報発行要求を前記サーバ装置に送信するステップと、
前記識別情報発行要求に応じて前記サーバ装置により発行された、支払い処理毎に固有の支払い識別情報を前記サーバ装置から受信するステップと、
受信された前記支払い識別情報を無線通信により他の携帯端末へ送信するステップと、
前記支払い識別情報を受信した前記他の携帯端末において入力された、当該他の携帯端末の利用者が負担する支払い金額の承認を示す承認情報を当該他の携帯端末から受信した前記サーバ装置により取得された承認状況情報であって前記他の携帯端末の利用者による前記支払い金額の承認状況を示す承認状況情報を当該サーバ装置から受信するステップと、
受信された前記承認状況情報に示される承認状況を前記携帯端末の利用者に提示した後に、当該利用者の前記利用者識別情報を前記施設の決済処理端末、または前記サーバ装置へ送信するステップと、
を実行させることを特徴とするコンピュータプログラム。
【請求項８】
複数の利用者から構成されるグループが施設において商取引を行う際の支払い総額を当該グループを構成する利用者が負担する支払い金額に分割して支払い処理を行うサーバ装置であって、通信手段を介して複数の携帯端末と通信を行うことが可能なサーバ装置において、
前記サーバ装置は、
前記利用者の電子マネーのバリューを当該利用者毎に固有の利用者識別情報に対応付けて記憶する記憶手段と、
前記複数の携帯端末のうち何れか一の携帯端末から送信された識別情報発行要求であって当該一の携帯端末の利用者の前記利用者識別情報、及び前記支払い総額を示す総額情報を含み、さらに、前記利用者の人数を示す人数情報、または、前記支払い総額が前記利用者の人数で除された支払い金額を示す支払金額情報を含む前記識別情報発行要求を受信した場合に、支払い処理毎に固有の支払い識別情報を発行する発行手段と、
受信された前記識別情報発行要求に含まれる前記利用者識別情報及び前記総額情報と、前記発行手段により発行された前記支払い識別情報とを対応付けて登録し、且つ、前記支払い総額が前記人数情報に示される前記人数で除された支払い金額、または、前記支払金額情報に示される支払い金額を、各利用者が負担する前記支払い金額として、当該支払い金額を示す支払金額情報を、前記支払い識別情報に対応付けて登録する第１の登録手段と、
前記第１の登録手段により登録された前記支払い識別情報及び前記支払金額情報を前記一の携帯端末へ送信する第１の送信手段と、
を備え、
前記サーバ装置から前記支払い識別情報、及び前記支払金額情報を受信した前記一の携帯端末は、当該支払い識別情報、及び前記支払金額情報を無線通信により他の携帯端末へ送信し、当該支払い識別情報、及び前記支払金額情報を受信した前記他の携帯端末は、前記支払金額情報に基づいて当該他の携帯端末の利用者が負担する支払い金額を当該利用者に提示し、当該提示された前記支払い金額の承認指示が前記利用者からあった場合に、当該承認を示す承認情報、当該他の携帯端末の利用者の前記利用者識別情報、及び前記支払い識別情報を含む承認登録要求を前記サーバ装置へ送信するものであり、
前記他の携帯端末から前記承認登録要求を受信した前記サーバ装置は、
受信された承認登録要求に含まれる前記承認情報及び当該利用者識別情報を、前記第１の登録手段により登録された前記支払い識別情報に対応付けて登録する第２の登録手段と、
前記第１の登録手段により登録された前記支払い識別情報に対応付けられて登録されている前記承認情報に基づき前記他の携帯端末の利用者による前記支払い金額の承認状況を示す承認状況情報を取得する取得手段と、
前記取得手段により取得された前記承認状況情報を前記一の携帯端末へ送信する第４の送信手段と、
を更に備え、
前記サーバ装置から前記承認状況情報を受信した前記一の携帯端末は、前記承認状況情報に示される承認状況を前記利用者に提示した後に、当該利用者の前記利用者識別情報を前記施設の決済処理端末、または前記サーバ装置へ送信するものであり、
前記決済処理端末または前記一の携帯端末から前記利用者識別情報を受信した前記サーバ装置は、当該利用者識別情報に対応付けられて登録されている情報に基づいて前記一の携帯端末の利用者と前記承認情報を送信した前記他の携帯端末の利用者のそれぞれが負担する支払い金額を特定し、当該特定した支払い金額と当該利用者のそれぞれの前記電子マネーのバリューとを用いて支払い処理を実行する支払い処理手段を更に備えることを特徴とするサーバ装置。
【請求項９】
複数の利用者から構成されるグループが施設において商取引を行う際の支払い総額を当該グループを構成する利用者が負担する支払い金額に分割して支払い処理を行うサーバ装置であって、通信手段を介して複数の携帯端末と通信を行うことが可能なサーバ装置において、
前記サーバ装置は、
前記利用者の電子マネーのバリューを当該利用者毎に固有の利用者識別情報に対応付けて記憶する記憶手段と、
前記複数の携帯端末のうち何れか一の携帯端末から送信された識別情報発行要求であって当該一の携帯端末の利用者の前記利用者識別情報、前記支払い総額を示す総額情報、及び当該一の携帯端末において入力された、当該一の携帯端末の利用者が負担する支払い金額を示す支払金額情報を含む前記識別情報発行要求を受信した場合に、支払い処理毎に固有の支払い識別情報を発行する発行手段と、
受信された前記識別情報発行要求に含まれる前記利用者識別情報、前記総額情報、及び前記支払金額情報と、前記発行手段により発行された前記支払い識別情報とを対応付けて登録する第１の登録手段と、
前記第１の登録手段により登録された前記支払い識別情報を前記一の携帯端末へ送信する第１の送信手段と、
を備え、
前記サーバ装置から前記支払い識別情報を受信した前記一の携帯端末は、当該支払い識別情報を無線通信により他の携帯端末へ送信し、当該支払い識別情報を受信した前記他の携帯端末は、当該他の携帯端末において入力された支払い金額であって、当該他の携帯端末の利用者が負担する支払い金額を当該利用者に提示し、当該提示された前記支払い金額の承認指示が前記利用者からあった場合に、当該承認を示す承認情報、当該他の携帯端末の利用者の前記利用者識別情報、前記入力された前記支払い金額を示す支払金額情報、及び前記支払い識別情報を含む承認登録要求を前記サーバ装置へ送信するものであり、
前記他の携帯端末から前記承認登録要求を受信した前記サーバ装置は、
受信された承認登録要求に含まれる前記承認情報、前記利用者識別情報、及び前記支払金額情報を、前記第１の登録手段により登録された前記支払い識別情報に対応付けて登録する第２の登録手段と、
前記第１の登録手段により登録された前記支払い識別情報に対応付けられて登録されている前記承認情報に基づき前記他の携帯端末の利用者による前記支払い金額の承認状況を示す承認状況情報を取得する取得手段と、
前記取得手段により取得された前記承認状況情報を前記一の携帯端末へ送信する第４の送信手段と、
を更に備え、
前記サーバ装置から前記承認状況情報を受信した前記一の携帯端末は、前記承認状況情報に示される承認状況を前記利用者に提示した後に、当該利用者の前記利用者識別情報を前記施設の決済処理端末、または前記サーバ装置へ送信するものであり、
前記決済処理端末または前記一の携帯端末から前記利用者識別情報を受信した前記サーバ装置は、当該利用者識別情報に対応付けられて登録されている情報に基づいて前記一の携帯端末の利用者と前記承認情報を送信した前記他の携帯端末の利用者のそれぞれが負担する支払い金額を特定し、当該特定した支払い金額と当該利用者のそれぞれの前記電子マネーのバリューとを用いて支払い処理を実行する支払い処理手段を更に備えることを特徴とするサーバ装置。
【請求項１０】
複数の利用者から構成されるグループが施設において商取引を行う際の支払い総額を当該グループを構成する利用者が負担する支払い金額に分割して支払い処理を行うサーバ装置であって、通信手段を介して複数の携帯端末と通信を行うことが可能なサーバ装置において、
前記サーバ装置は、
前記利用者の電子マネーのバリューを当該利用者毎に固有の利用者識別情報に対応付けて記憶する記憶手段と、
前記複数の携帯端末のうち何れか一の携帯端末から送信された識別情報発行要求であって前記複数の携帯端末それぞれの利用者の前記利用者識別情報、他の携帯端末の利用者の途中参加時刻、及び前記支払い総額を示す総額情報を含む前記識別情報発行要求を受信した場合に、支払い処理毎に固有の支払い識別情報を発行する発行手段と、
受信された前記識別情報発行要求に含まれる前記利用者識別情報、前記途中参加時刻、及び前記総額情報と、前記発行手段により発行された前記支払い識別情報とを対応付けて登録する第１の登録手段と、
前記途中参加時刻から前記識別情報発行要求を受信した時の利用終了時刻までの時間を前記他の携帯端末の利用者が施設に入ってから支払いまでの経過時間として算出し、前記総額情報に示される前記支払い総額を、前記経過時間に応じて分割することにより、当該経過時間に応じた支払い金額を算出する算出手段と、
前記第１の登録手段により登録された前記支払い識別情報、及び前記算出手段により算出された前記支払い金額を示す支払金額情報を前記一の携帯端末へ送信する第１の送信手段と、
を備え、
前記サーバ装置から前記支払い識別情報を受信した前記一の携帯端末は、当該支払い識別情報、及び前記支払金額情報を無線通信により他の携帯端末へ送信し、当該支払い識別情報、及び前記支払金額情報を受信した前記他の携帯端末は、前記支払金額情報に基づいて当該他の携帯端末の利用者が負担する支払い金額を当該利用者に提示し、当該提示された前記支払い金額の承認指示が前記利用者からあった場合に、当該承認を示す承認情報、当該他の携帯端末の利用者の前記利用者識別情報、及び前記支払い識別情報を含む承認登録要求を前記サーバ装置へ送信するものであり、
前記他の携帯端末から前記承認登録要求を受信した前記サーバ装置は、
受信された承認登録要求に含まれる前記承認情報及び当該利用者識別情報を、前記第１の登録手段により登録された前記支払い識別情報に対応付けて登録する第２の登録手段と、
前記第１の登録手段により登録された前記支払い識別情報に対応付けられて登録されている前記承認情報に基づき前記他の携帯端末の利用者による前記支払い金額の承認状況を示す承認状況情報を取得する取得手段と、
前記取得手段により取得された前記承認状況情報を前記一の携帯端末へ送信する第４の送信手段と、
を更に備え、
前記サーバ装置から前記承認状況情報を受信した前記一の携帯端末は、前記承認状況情報に示される承認状況を前記利用者に提示した後に、当該利用者の前記利用者識別情報を前記施設の決済処理端末、または前記サーバ装置へ送信するものであり、
前記決済処理端末または前記一の携帯端末から前記利用者識別情報を受信した前記サーバ装置は、当該利用者識別情報に対応付けられて登録されている情報及び前記算出手段により算出された前記支払い金額に基づいて前記一の携帯端末の利用者と前記承認情報を送信した前記他の携帯端末の利用者のそれぞれが負担する支払い金額を特定し、当該特定した支払い金額と当該利用者のそれぞれの前記電子マネーのバリューとを用いて支払い処理を実行する支払い処理手段を更に備えることを特徴とするサーバ装置。
【請求項１１】
請求項８乃至１０の何れか一項に記載のサーバ装置として機能させることを特徴とするサーバ処理プログラム。
【請求項１２】
複数の利用者から構成されるグループが施設において商取引を行う際の支払い総額を当該グループを構成する利用者が負担する支払い金額に分割して支払い処理を行うサーバ装置であって、通信手段を介して複数の携帯端末と通信を行うことが可能なサーバ装置を備える支払い処理システムにおいて行われる支払い処理方法であって、
前記サーバ装置が、前記利用者の電子マネーのバリューを当該利用者毎に固有の利用者識別情報に対応付けて記憶するステップと、
前記サーバ装置が、前記複数の携帯端末のうち何れか一の携帯端末から送信された識別情報発行要求であって当該一の携帯端末の利用者の前記利用者識別情報、及び前記支払い総額を示す総額情報を含み、さらに、前記利用者の人数を示す人数情報、または、前記支払い総額が前記利用者の人数で除された支払い金額を示す支払金額情報を含む前記識別情報発行要求を受信した場合に、支払い処理毎に固有の支払い識別情報を発行するステップと、
前記サーバ装置が、受信された前記識別情報発行要求に含まれる前記利用者識別情報及び前記総額情報と、前記発行された前記支払い識別情報とを対応付けて登録し、且つ、前記支払い総額が前記人数情報に示される前記人数で除された支払い金額、または、前記支払金額情報に示される支払い金額を、各利用者が負担する前記支払い金額として、当該支払い金額を示す支払金額情報を、前記支払い識別情報に対応付けて登録するステップと、
前記サーバ装置が、前記登録された前記支払い識別情報及び前記支払金額情報を前記一の携帯端末へ送信するステップと、
前記サーバ装置から前記支払い識別情報、及び前記支払金額情報を受信した前記一の携帯端末が、当該支払い識別情報、及び前記支払金額情報を無線通信により他の携帯端末へ送信するステップと、
前記一の携帯端末から前記支払い識別情報、及び前記支払金額情報を受信した前記他の携帯端末が、当該支払金額情報に基づいて当該他の携帯端末の利用者が負担する支払い金額を当該利用者に提示し、当該支払い金額の承認指示が前記利用者からあった場合に、当該承認を示す承認情報、当該他の携帯端末の利用者の前記利用者識別情報、及び前記支払い識別情報を含む承認登録要求を前記サーバ装置へ送信するステップと、
前記他の携帯端末から前記承認登録要求を受信した前記サーバ装置が、受信された承認登録要求に含まれる前記承認情報及び当該利用者識別情報を、前記登録された前記支払い識別情報に対応付けて登録するステップと、
前記サーバ装置が、前記登録された前記支払い識別情報に対応付けられて登録されている前記承認情報に基づき前記他の携帯端末の利用者による前記支払い金額の承認状況を示す承認状況情報を取得するステップと、
前記サーバ装置が、前記取得された前記承認状況情報を前記一の携帯端末へ送信するステップと、
前記サーバ装置から前記承認状況情報を受信した前記一の携帯端末が、前記承認状況情報に示される承認状況を前記利用者に提示した後に、当該利用者の前記利用者識別情報を前記施設の決済処理端末、または前記サーバ装置へ送信するステップと、
前記決済処理端末または前記一の携帯端末から前記利用者識別情報を受信した前記サーバ装置が、当該利用者識別情報に対応付けられて登録されている情報に基づいて前記一の携帯端末の利用者と前記承認情報を送信した前記他の携帯端末の利用者のそれぞれが負担する支払い金額を特定し、当該特定した支払い金額と当該利用者のそれぞれの前記電子マネーのバリューとを用いて支払い処理を実行するステップと、
を含むことを特徴とする支払い処理方法。
【請求項１３】
複数の利用者から構成されるグループが施設において商取引を行う際の支払い総額を当該グループを構成する利用者が負担する支払い金額に分割して支払い処理を行うサーバ装置であって、通信手段を介して複数の携帯端末と通信を行うことが可能なサーバ装置を備える支払い処理システムにおいて行われる支払い処理方法であって、
前記サーバ装置が、前記利用者の電子マネーのバリューを当該利用者毎に固有の利用者識別情報に対応付けて記憶するステップと、
前記サーバ装置が、前記複数の携帯端末のうち何れか一の携帯端末から送信された識別情報発行要求であって当該一の携帯端末の利用者の前記利用者識別情報、前記支払い総額を示す総額情報、及び当該一の携帯端末において入力された、当該一の携帯端末の利用者が負担する支払い金額を示す支払金額情報を含む前記識別情報発行要求を受信した場合に、支払い処理毎に固有の支払い識別情報を発行するステップと、
前記サーバ装置が、受信された前記識別情報発行要求に含まれる前記利用者識別情報、前記総額情報、及び前記支払金額情報と、前記発行された前記支払い識別情報とを対応付けて登録するステップと、
前記サーバ装置が、前記登録された前記支払い識別情報を前記一の携帯端末へ送信するステップと、
前記サーバ装置から前記支払い識別情報を受信した前記一の携帯端末が、当該支払い識別情報を無線通信により他の携帯端末へ送信するステップと、
前記一の携帯端末から前記支払い識別情報を受信した前記他の携帯端末が、当該他の携帯端末において入力された支払い金額であって、当該他の携帯端末の利用者が負担する支払い金額を当該利用者に提示し、当該支払い金額の承認指示が前記利用者からあった場合に、当該承認を示す承認情報、当該他の携帯端末の利用者の前記利用者識別情報、前記入力された前記支払い金額を示す支払金額情報、及び前記支払い識別情報を含む承認登録要求を前記サーバ装置へ送信するステップと、
前記他の携帯端末から前記承認登録要求を受信した前記サーバ装置が、受信された承認登録要求に含まれる前記承認情報、前記利用者識別情報、及び前記支払金額情報を、前記登録された前記支払い識別情報に対応付けて登録するステップと、
前記サーバ装置が、前記登録された前記支払い識別情報に対応付けられて登録されている前記承認情報に基づき前記他の携帯端末の利用者による前記支払い金額の承認状況を示す承認状況情報を取得するステップと、
前記サーバ装置が、前記取得された前記承認状況情報を前記一の携帯端末へ送信するステップと、
前記サーバ装置から前記承認状況情報を受信した前記一の携帯端末が、前記承認状況情報に示される承認状況を前記利用者に提示した後に、当該利用者の前記利用者識別情報を前記施設の決済処理端末、または前記サーバ装置へ送信するステップと、
前記決済処理端末または前記一の携帯端末から前記利用者識別情報を受信した前記サーバ装置が、当該利用者識別情報に対応付けられて登録されている情報に基づいて前記一の携帯端末の利用者と前記承認情報を送信した前記他の携帯端末の利用者のそれぞれが負担する支払い金額を特定し、当該特定した支払い金額と当該利用者のそれぞれの前記電子マネーのバリューとを用いて支払い処理を実行するステップと、
を含むことを特徴とする支払い処理方法。
【請求項１４】
複数の利用者から構成されるグループが施設において商取引を行う際の支払い総額を当該グループを構成する利用者が負担する支払い金額に分割して支払い処理を行うサーバ装置であって、通信手段を介して複数の携帯端末と通信を行うことが可能なサーバ装置を備える支払い処理システムにおいて行われる支払い処理方法であって、
前記サーバ装置が、前記利用者の電子マネーのバリューを当該利用者毎に固有の利用者識別情報に対応付けて記憶するステップと、
前記サーバ装置が、前記複数の携帯端末のうち何れか一の携帯端末から送信された識別情報発行要求であって前記複数の携帯端末それぞれの利用者の前記利用者識別情報、他の携帯端末の利用者の途中参加時刻、及び前記支払い総額を示す総額情報を含む前記識別情報発行要求を受信した場合に、支払い処理毎に固有の支払い識別情報を発行するステップと、
前記サーバ装置が、受信された前記識別情報発行要求に含まれる前記利用者識別情報、前記途中参加時刻、及び前記総額情報と、前記発行された前記支払い識別情報とを対応付けて登録するステップと、
前記サーバ装置が、前記途中参加時刻から前記識別情報発行要求を受信した時の利用終了時刻までの時間を前記他の携帯端末の利用者が施設に入ってから支払いまでの経過時間として算出し、前記総額情報に示される前記支払い総額を、前記経過時間に応じて分割することにより、当該経過時間に応じた支払い金額を算出するステップと、
前記サーバ装置が、前記登録された前記支払い識別情報、及び前記算出された前記支払い金額を示す支払金額情報を前記一の携帯端末へ送信するステップと、
前記サーバ装置から前記支払い識別情報を受信した前記一の携帯端末が、当該支払い識別情報、及び前記支払金額情報を無線通信により他の携帯端末へ送信するステップと、
前記一の携帯端末から前記支払い識別情報、及び前記支払金額情報を受信した前記他の携帯端末が、前記支払金額情報に基づいて当該他の携帯端末の利用者が負担する支払い金額を当該利用者に提示し、当該支払い金額の承認指示が前記利用者からあった場合に、当該承認を示す承認情報、当該他の携帯端末の利用者の前記利用者識別情報、及び前記支払い識別情報を含む承認登録要求を前記サーバ装置へ送信するステップと、
前記他の携帯端末から前記承認登録要求を受信した前記サーバ装置が、受信された承認登録要求に含まれる前記承認情報及び当該利用者識別情報を、前記登録された前記支払い識別情報に対応付けて登録するステップと、
前記サーバ装置が、前記登録された前記支払い識別情報に対応付けられて登録されている前記承認情報に基づき前記他の携帯端末の利用者による前記支払い金額の承認状況を示す承認状況情報を取得するステップと、
前記サーバ装置が、前記取得された前記承認状況情報を前記一の携帯端末へ送信するステップと、
前記サーバ装置から前記承認状況情報を受信した前記一の携帯端末が、前記承認状況情報に示される承認状況を前記利用者に提示した後に、当該利用者の前記利用者識別情報を前記施設の決済処理端末、または前記サーバ装置へ送信するステップと、
前記決済処理端末または前記一の携帯端末から前記利用者識別情報を受信した前記サーバ装置が、当該利用者識別情報に対応付けられて登録されている情報及び前記算出された前記支払い金額に基づいて前記一の携帯端末の利用者と前記承認情報を送信した前記他の携帯端末の利用者のそれぞれが負担する支払い金額を特定し、当該特定した支払い金額と当該利用者のそれぞれの前記電子マネーのバリューとを用いて支払い処理を実行するステップと、
を含むことを特徴とする支払い処理方法。
【発明の詳細な説明】
【技術分野】
【０００１】
本発明は、複数の利用者から構成されるグループが施設において商取引を行う際の支払い総額を当該グループを構成する利用者が負担する支払い金額に分割して支払い処理を行うシステム等の技術分野に関する。
【背景技術】
【０００２】
従来、特許文献１に開示されるように、複数の人からなるグループが店舗にて商品を購入した際の合計支払い代金を当該グループの各人が負担する支払い代金に分割して精算処理を行う分割精算システムが知られている。この分割精算システムでは、グループを代表して店舗に合計代金を支払った代表者の携帯端末Ａでグループの各人が負担すべき支払い代金を算出し、算出した各人の支払い代金の会計データを携帯端末Ａにより各人が携帯する携帯端末Ｂ，Ｃに送信し、携帯端末Ｂ，Ｃにより携帯端末Ａへ各人の支払い代金に相当する電子マネーデータを送信させて、携帯端末Ａにて受け取ることにより、グループの各人の分割精算を行うようになっている。
【先行技術文献】
【特許文献】
【０００３】
【特許文献１】特開２００８−１０７８７４号公報
【発明の概要】
【発明が解決しようとする課題】
【０００４】
しかしながら、特許文献１に開示される分割精算システムでは、電子マネーデータ（電子マネーのバリュー）は各携帯端末にチャージされるようになっており、電子マネーデータのやり取りは携帯端末間で行われる。そのため、電子マネーデータのやり取りは、通常の現金のやり取りと同様、グループ内の利用者間で揉める場合がありうる。この場合、合計支払い代金の支払い精算をグループ内で効率的に図れない。
【０００５】
そこで、本発明は、上記点等に鑑みてなされたものであり、グループが施設において商取引を行う際の支払い総額の支払い精算を、より効率良く行うことが可能な支払い処理システム、コンピュータプログラム、サーバ装置、サーバ処理プログラム、及び支払い処理方法を提供することを課題とする。
【課題を解決するための手段】
【０００６】
上記課題を解決するために、請求項１に記載の発明は、複数の利用者から構成されるグループが施設において商取引を行う際の支払い総額を当該グループを構成する利用者が負担する支払い金額に分割して支払い処理を行うサーバ装置であって、通信手段を介して複数の携帯端末と通信を行うことが可能なサーバ装置を備える支払い処理システムにおいて、前記サーバ装置は、前記利用者の電子マネーのバリューを当該利用者毎に固有の利用者識別情報に対応付けて記憶する記憶手段と、前記複数の携帯端末のうち何れか一の携帯端末から送信された識別情報発行要求であって当該一の携帯端末の利用者の前記利用者識別情報、及び前記支払い総額を示す総額情報を含み、さらに、前記利用者の人数を示す人数情報、または、前記支払い総額が前記利用者の人数で除された支払い金額を示す支払金額情報を含む前記識別情報発行要求を受信した場合に、支払い処理毎に固有の支払い識別情報を発行する発行手段と、受信された前記識別情報発行要求に含まれる前記利用者識別情報及び前記総額情報と、前記発行手段により発行された前記支払い識別情報とを対応付けて登録し、且つ、前記支払い総額が前記人数情報に示される前記人数で除された支払い金額、または、前記支払金額情報に示される支払い金額を、各利用者が負担する前記支払い金額として、当該支払い金額を示す支払金額情報を、前記支払い識別情報に対応付けて登録する第１の登録手段と、前記第１の登録手段により登録された前記支払い識別情報、及び前記支払金額情報を前記一の携帯端末へ送信する第１の送信手段と、を備え、前記サーバ装置から前記支払い識別情報、及び前記支払金額情報を受信した前記一の携帯端末は、当該支払い識別情報、及び前記支払金額情報を無線通信により他の携帯端末へ送信する第２の送信手段を備え、前記一の携帯端末から前記支払い識別情報、及び前記支払金額情報を受信した前記他の携帯端末は、前記支払金額情報に基づいて当該他の携帯端末の利用者が負担する支払い金額を当該利用者に提示する第１の提示手段と、前記第１の提示手段により提示された前記支払い金額の承認指示が前記利用者からあった場合に、当該承認を示す承認情報、当該他の携帯端末の利用者の前記利用者識別情報、及び前記支払い識別情報を含む承認登録要求を前記サーバ装置へ送信する第３の送信手段と、を備え、前記他の携帯端末から前記承認登録要求を受信した前記サーバ装置は、受信された承認登録要求に含まれる前記承認情報及び前記利用者識別情報を、前記第１の登録手段により登録された前記支払い識別情報に対応付けて登録する第２の登録手段と、前記第１の登録手段により登録された前記支払い識別情報に対応付けられて登録されている前記承認情報に基づき前記他の携帯端末の利用者による前記支払い金額の承認状況を示す承認状況情報を取得する取得手段と、前記取得手段により取得された前記承認状況情報を前記一の携帯端末へ送信する第４の送信手段と、を備え、前記サーバ装置から前記承認状況情報を受信した前記一の携帯端末は、前記承認状況情報に示される承認状況を前記利用者に提示する第２の提示手段と、前記第２の提示手段により前記承認状況が前記利用者に提示された後に、当該利用者の前記利用者識別情報を前記施設の決済処理端末、または前記サーバ装置へ送信する第５の送信手段と、を備え、前記決済処理端末または前記一の携帯端末から前記利用者識別情報を受信した前記サーバ装置は、当該利用者識別情報に対応付けられて登録されている情報に基づいて前記一の携帯端末の利用者と前記承認情報を送信した前記他の携帯端末の利用者のそれぞれが負担する支払い金額を特定し、当該特定した支払い金額と当該利用者のそれぞれの前記電子マネーのバリューとを用いて支払い処理を実行する支払い処理手段を備えることを特徴とする。
【０００７】
請求項２に記載の発明は、複数の利用者から構成されるグループが施設において商取引を行う際の支払い総額を当該グループを構成する利用者が負担する支払い金額に分割して支払い処理を行うサーバ装置であって、通信手段を介して複数の携帯端末と通信を行うことが可能なサーバ装置を備える支払い処理システムにおいて、前記サーバ装置は、前記利用者の電子マネーのバリューを当該利用者毎に固有の利用者識別情報に対応付けて記憶する記憶手段と、前記複数の携帯端末のうち何れか一の携帯端末から送信された識別情報発行要求であって当該一の携帯端末の利用者の前記利用者識別情報、前記支払い総額を示す総額情報、及び当該一の携帯端末において入力された、当該一の携帯端末の利用者が負担する支払い金額を示す支払金額情報を含む前記識別情報発行要求を受信した場合に、支払い処理毎に固有の支払い識別情報を発行する発行手段と、受信された前記識別情報発行要求に含まれる前記利用者識別情報、前記総額情報、及び前記支払金額情報と、前記発行手段により発行された前記支払い識別情報とを対応付けて登録する第１の登録手段と、前記第１の登録手段により登録された前記支払い識別情報を前記一の携帯端末へ送信する第１の送信手段と、を備え、前記サーバ装置から前記支払い識別情報を受信した前記一の携帯端末は、当該支払い識別情報を無線通信により他の携帯端末へ送信する第２の送信手段を備え、前記一の携帯端末から前記支払い識別情報を受信した前記他の携帯端末は、当該他の携帯端末において入力された支払い金額であって、当該他の携帯端末の利用者が負担する前記支払い金額を当該利用者に提示する第１の提示手段と、前記第１の提示手段により提示された前記支払い金額の承認指示が前記利用者からあった場合に、当該承認を示す承認情報、当該他の携帯端末の利用者の前記利用者識別情報、前記入力された前記支払い金額を示す支払金額情報、及び前記支払い識別情報を含む承認登録要求を前記サーバ装置へ送信する第３の送信手段と、を備え、前記他の携帯端末から前記承認登録要求を受信した前記サーバ装置は、受信された承認登録要求に含まれる前記承認情報、前記利用者識別情報、及び前記支払金額情報を、前記第１の登録手段により登録された前記支払い識別情報に対応付けて登録する第２の登録手段と、前記第１の登録手段により登録された前記支払い識別情報に対応付けられて登録されている前記承認情報に基づき前記他の携帯端末の利用者による前記支払い金額の承認状況を示す承認状況情報を取得する取得手段と、前記取得手段により取得された前記承認状況情報を前記一の携帯端末へ送信する第４の送信手段と、を備え、前記サーバ装置から前記承認状況情報を受信した前記一の携帯端末は、前記承認状況情報に示される承認状況を前記利用者に提示する第２の提示手段と、前記第２の提示手段により前記承認状況が前記利用者に提示された後に、当該利用者の前記利用者識別情報を前記施設の決済処理端末、または前記サーバ装置へ送信する第５の送信手段と、を備え、前記決済処理端末または前記一の携帯端末から前記利用者識別情報を受信した前記サーバ装置は、当該利用者識別情報に対応付けられて登録されている情報に基づいて前記一の携帯端末の利用者と前記承認情報を送信した前記他の携帯端末の利用者のそれぞれが負担する支払い金額を特定し、当該特定した支払い金額と当該利用者のそれぞれの前記電子マネーのバリューとを用いて支払い処理を実行する支払い処理手段を備えることを特徴とする。
【０００８】
請求項３に記載の発明は、複数の利用者から構成されるグループが施設において商取引を行う際の支払い総額を当該グループを構成する利用者が負担する支払い金額に分割して支払い処理を行うサーバ装置であって、通信手段を介して複数の携帯端末と通信を行うことが可能なサーバ装置を備える支払い処理システムにおいて、前記サーバ装置は、前記利用者の電子マネーのバリューを当該利用者毎に固有の利用者識別情報に対応付けて記憶する記憶手段と、前記複数の携帯端末のうち何れか一の携帯端末から送信された識別情報発行要求であって前記複数の携帯端末それぞれの利用者の前記利用者識別情報、他の携帯端末の利用者の途中参加時刻、及び前記支払い総額を示す総額情報を含む前記識別情報発行要求を受信した場合に、支払い処理毎に固有の支払い識別情報を発行する発行手段と、受信された前記識別情報発行要求に含まれる前記利用者識別情報、前記途中参加時刻、及び前記総額情報と、前記発行手段により発行された前記支払い識別情報とを対応付けて登録する第１の登録手段と、前記途中参加時刻から前記識別情報発行要求を受信した時の利用終了時刻までの時間を前記他の携帯端末の利用者が施設に入ってから支払いまでの経過時間として算出し、前記総額情報に示される前記支払い総額を、前記経過時間に応じて分割することにより、当該経過時間に応じた支払い金額を算出する算出手段と、前記第１の登録手段により登録された前記支払い識別情報、及び前記算出手段により算出された前記支払い金額を示す支払金額情報を前記一の携帯端末へ送信する第１の送信手段と、を備え、前記サーバ装置から前記支払い識別情報、及び前記支払金額情報を受信した前記一の携帯端末は、当該支払い識別情報、及び前記支払金額情報を無線通信により他の携帯端末へ送信する第２の送信手段を備え、前記一の携帯端末から前記支払い識別情報、及び前記支払金額情報を受信した前記他の携帯端末は、前記支払金額情報に基づいて当該他の携帯端末の利用者が負担する支払い金額を当該利用者に提示する第１の提示手段と、前記第１の提示手段により提示された前記支払い金額の承認指示が前記利用者からあった場合に、当該承認を示す承認情報、当該他の携帯端末の利用者の前記利用者識別情報、及び前記支払い識別情報を含む承認登録要求を前記サーバ装置へ送信する第３の送信手段と、を備え、前記他の携帯端末から前記承認登録要求を受信した前記サーバ装置は、受信された承認登録要求に含まれる前記承認情報及び前記利用者識別情報を、前記第１の登録手段により登録された前記支払い識別情報に対応付けて登録する第２の登録手段と、前記第１の登録手段により登録された前記支払い識別情報に対応付けられて登録されている前記承認情報に基づき前記他の携帯端末の利用者による前記支払い金額の承認状況を示す承認状況情報を取得する取得手段と、前記取得手段により取得された前記承認状況情報を前記一の携帯端末へ送信する第４の送信手段と、を備え、前記サーバ装置から前記承認状況情報を受信した前記一の携帯端末は、前記承認状況情報に示される承認状況を前記利用者に提示する第２の提示手段と、前記第２の提示手段により前記承認状況が前記利用者に提示された後に、当該利用者の前記利用者識別情報を前記施設の決済処理端末、または前記サーバ装置へ送信する第５の送信手段と、を備え、前記決済処理端末または前記一の携帯端末から前記利用者識別情報を受信した前記サーバ装置は、当該利用者識別情報に対応付けられて登録されている前記総額情報及び前記算出手段により算出された前記支払い金額に基づいて前記一の携帯端末の利用者と前記承認情報を送信した前記他の携帯端末の利用者のそれぞれが負担する支払い金額を特定し、当該特定した支払い金額と当該利用者のそれぞれの前記電子マネーのバリューとを用いて支払い処理を実行する支払い処理手段を備えることを特徴とする。
【０００９】
請求項４に記載の発明は、請求項１乃至３の何れか一項に記載の支払い処理システムにおいて、前記サーバ装置は、前記受信された承認登録要求に含まれる前記利用者識別情報に対応する前記利用者により承認された前記支払い金額と、当該利用者識別情報に対応付けられて前記記憶手段に記憶されている前記電子マネーのバリューの残高とを比較し、当該残高が当該承認された前記支払い金額以上あるか否かを判定する判定手段を更に備え、前記サーバ装置の前記第２の登録手段は、前記判定手段による判定結果を示す情報を、前記受信された承認登録要求に含まれる前記承認情報及び当該利用者識別情報と共に、前記支払い識別情報に対応付けて登録し、前記サーバ装置の前記取得手段は、前記支払い識別情報に対応付けられて登録されている前記承認情報及び前記判定結果を示す情報に基づき前記他の携帯端末の利用者による前記支払い金額の承認状況を示す承認状況情報であって残高有無を示す情報を含む承認状況情報を取得することを特徴とする。
【００１０】
請求項５に記載の発明は、請求項１乃至４の何れか一項に記載の支払い処理システムにおいて、前記一の携帯端末は、前記支払い識別情報を前記他の携帯端末へ送信した後、当該支払い識別情報を含む確認要求であって前記他の携帯端末の利用者による前記支払い金額の承認状況を確認する前記確認要求を前記サーバ装置へ送信する第６の送信手段を備え、前記サーバ装置の前記取得手段は、前記一の携帯端末から受信された前記確認要求に含まれる前記支払い識別情報に対応付けられて登録されている前記承認情報に基づき前記承認状況情報を取得することを特徴とする。
【００１１】
請求項６に記載の発明は、複数の利用者から構成されるグループが施設において商取引を行う際の支払い総額を当該グループを構成する利用者が負担する支払い金額に分割して支払い処理を行うサーバ装置であって、前記利用者の電子マネーのバリューを当該利用者毎に固有の利用者識別情報に対応付けて記憶する前記サーバ装置と通信手段を介して通信可能な携帯端末に含まれるコンピュータに、前記携帯端末の利用者の前記利用者識別情報、及び前記支払い総額を示す総額情報、並びに、前記利用者の人数を示す人数情報、または、前記支払い総額が前記利用者の人数で除された支払い金額を示す支払金額情報を含む識別情報発行要求を前記サーバ装置に送信するステップと、前記識別情報発行要求に応じて前記サーバ装置により発行された、支払い処理毎に固有の支払い識別情報と、前記支払い総額が前記人数情報に示される前記人数で除された支払い金額を各利用者が負担する前記支払い金額として示す支払金額情報とを前記サーバ装置から受信するステップと、
受信された前記支払い識別情報、及び前記支払金額情報を無線通信により他の携帯端末へ送信するステップと、前記支払い識別情報、及び前記支払金額情報を受信した前記他の携帯端末の利用者が負担する支払い金額の承認を示す承認情報を当該他の携帯端末から受信した前記サーバ装置により取得された承認状況情報であって前記他の携帯端末の利用者による前記支払い金額の承認状況を示す承認状況情報を当該サーバ装置から受信するステップと、受信された前記承認状況情報に示される承認状況を前記携帯端末の利用者に提示した後に、当該利用者の前記利用者識別情報を前記施設の決済処理端末、または前記サーバ装置へ送信するステップと、を実行させることを特徴とする。
【００１２】
請求項７に記載の発明は、複数の利用者から構成されるグループが施設において商取引を行う際の支払い総額を当該グループを構成する利用者が負担する支払い金額に分割して支払い処理を行うサーバ装置であって、前記利用者の電子マネーのバリューを当該利用者毎に固有の利用者識別情報に対応付けて記憶する前記サーバ装置と通信手段を介して通信可能な携帯端末に含まれるコンピュータに、前記携帯端末の利用者の前記利用者識別情報、前記支払い総額を示す総額情報、及び前記携帯端末において入力された支払い金額であって当該携帯端末の利用者が負担する支払い金額を示す支払金額情報を含む識別情報発行要求を前記サーバ装置に送信するステップと、前記識別情報発行要求に応じて前記サーバ装置により発行された、支払い処理毎に固有の支払い識別情報を前記サーバ装置から受信するステップと、受信された前記支払い識別情報を無線通信により他の携帯端末へ送信するステップと、前記支払い識別情報を受信した前記他の携帯端末において入力された、当該他の携帯端末の利用者が負担する支払い金額の承認を示す承認情報を当該他の携帯端末から受信した前記サーバ装置により取得された承認状況情報であって前記他の携帯端末の利用者による前記支払い金額の承認状況を示す承認状況情報を当該サーバ装置から受信するステップと、受信された前記承認状況情報に示される承認状況を前記携帯端末の利用者に提示した後に、当該利用者の前記利用者識別情報を前記施設の決済処理端末、または前記サーバ装置へ送信するステップと、を実行させることを特徴とする。
【００１３】
請求項８に記載の発明は、複数の利用者から構成されるグループが施設において商取引を行う際の支払い総額を当該グループを構成する利用者が負担する支払い金額に分割して支払い処理を行うサーバ装置であって、通信手段を介して複数の携帯端末と通信を行うことが可能なサーバ装置において、前記サーバ装置は、前記利用者の電子マネーのバリューを当該利用者毎に固有の利用者識別情報に対応付けて記憶する記憶手段と、前記複数の携帯端末のうち何れか一の携帯端末から送信された識別情報発行要求であって当該一の携帯端末の利用者の前記利用者識別情報、及び前記支払い総額を示す総額情報を含み、さらに、前記利用者の人数を示す人数情報、または、前記支払い総額が前記利用者の人数で除された支払い金額を示す支払金額情報を含む前記識別情報発行要求を受信した場合に、支払い処理毎に固有の支払い識別情報を発行する発行手段と、受信された前記識別情報発行要求に含まれる前記利用者識別情報及び前記総額情報と、前記発行手段により発行された前記支払い識別情報とを対応付けて登録し、且つ、前記支払い総額が前記人数情報に示される前記人数で除された支払い金額、または、前記支払金額情報に示される支払い金額を、各利用者が負担する前記支払い金額として、当該支払い金額を示す支払金額情報を、前記支払い識別情報に対応付けて登録する第１の登録手段と、前記第１の登録手段により登録された前記支払い識別情報及び前記支払金額情報を前記一の携帯端末へ送信する第１の送信手段と、を備え、前記サーバ装置から前記支払い識別情報、及び前記支払金額情報を受信した前記一の携帯端末は、当該支払い識別情報、及び前記支払金額情報を無線通信により他の携帯端末へ送信し、当該支払い識別情報、及び前記支払金額情報を受信した前記他の携帯端末は、前記支払金額情報に基づいて当該他の携帯端末の利用者が負担する支払い金額を当該利用者に提示し、当該提示された前記支払い金額の承認指示が前記利用者からあった場合に、当該承認を示す承認情報、当該他の携帯端末の利用者の前記利用者識別情報、及び前記支払い識別情報を含む承認登録要求を前記サーバ装置へ送信するものであり、前記他の携帯端末から前記承認登録要求を受信した前記サーバ装置は、受信された承認登録要求に含まれる前記承認情報及び当該利用者識別情報を、前記第１の登録手段により登録された前記支払い識別情報に対応付けて登録する第２の登録手段と、前記第１の登録手段により登録された前記支払い識別情報に対応付けられて登録されている前記承認情報に基づき前記他の携帯端末の利用者による前記支払い金額の承認状況を示す承認状況情報を取得する取得手段と、前記取得手段により取得された前記承認状況情報を前記一の携帯端末へ送信する第４の送信手段と、を更に備え、前記サーバ装置から前記承認状況情報を受信した前記一の携帯端末は、前記承認状況情報に示される承認状況を前記利用者に提示した後に、当該利用者の前記利用者識別情報を前記施設の決済処理端末、または前記サーバ装置へ送信するものであり、前記決済処理端末または前記一の携帯端末から前記利用者識別情報を受信した前記サーバ装置は、当該利用者識別情報に対応付けられて登録されている情報に基づいて前記一の携帯端末の利用者と前記承認情報を送信した前記他の携帯端末の利用者のそれぞれが負担する支払い金額を特定し、当該特定した支払い金額と当該利用者のそれぞれの前記電子マネーのバリューとを用いて支払い処理を実行する支払い処理手段を更に備えることを特徴とする。
【００１４】
請求項９に記載の発明は、複数の利用者から構成されるグループが施設において商取引を行う際の支払い総額を当該グループを構成する利用者が負担する支払い金額に分割して支払い処理を行うサーバ装置であって、通信手段を介して複数の携帯端末と通信を行うことが可能なサーバ装置において、前記サーバ装置は、前記利用者の電子マネーのバリューを当該利用者毎に固有の利用者識別情報に対応付けて記憶する記憶手段と、前記複数の携帯端末のうち何れか一の携帯端末から送信された識別情報発行要求であって当該一の携帯端末の利用者の前記利用者識別情報、前記支払い総額を示す総額情報、及び当該一の携帯端末において入力された、当該一の携帯端末の利用者が負担する支払い金額を示す支払金額情報を含む前記識別情報発行要求を受信した場合に、支払い処理毎に固有の支払い識別情報を発行する発行手段と、受信された前記識別情報発行要求に含まれる前記利用者識別情報、前記総額情報、及び前記支払金額情報と、前記発行手段により発行された前記支払い識別情報とを対応付けて登録する第１の登録手段と、前記第１の登録手段により登録された前記支払い識別情報を前記一の携帯端末へ送信する第１の送信手段と、を備え、前記サーバ装置から前記支払い識別情報を受信した前記一の携帯端末は、当該支払い識別情報を無線通信により他の携帯端末へ送信し、当該支払い識別情報を受信した前記他の携帯端末は、当該他の携帯端末において入力された支払い金額であって、当該他の携帯端末の利用者が負担する支払い金額を当該利用者に提示し、当該提示された前記支払い金額の承認指示が前記利用者からあった場合に、当該承認を示す承認情報、当該他の携帯端末の利用者の前記利用者識別情報、前記入力された前記支払い金額を示す支払金額情報、及び前記支払い識別情報を含む承認登録要求を前記サーバ装置へ送信するものであり、前記他の携帯端末から前記承認登録要求を受信した前記サーバ装置は、受信された承認登録要求に含まれる前記承認情報、前記利用者識別情報、及び前記支払金額情報を、前記第１の登録手段により登録された前記支払い識別情報に対応付けて登録する第２の登録手段と、前記第１の登録手段により登録された前記支払い識別情報に対応付けられて登録されている前記承認情報に基づき前記他の携帯端末の利用者による前記支払い金額の承認状況を示す承認状況情報を取得する取得手段と、前記取得手段により取得された前記承認状況情報を前記一の携帯端末へ送信する第４の送信手段と、を更に備え、前記サーバ装置から前記承認状況情報を受信した前記一の携帯端末は、前記承認状況情報に示される承認状況を前記利用者に提示した後に、当該利用者の前記利用者識別情報を前記施設の決済処理端末、または前記サーバ装置へ送信するものであり、前記決済処理端末または前記一の携帯端末から前記利用者識別情報を受信した前記サーバ装置は、当該利用者識別情報に対応付けられて登録されている情報に基づいて前記一の携帯端末の利用者と前記承認情報を送信した前記他の携帯端末の利用者のそれぞれが負担する支払い金額を特定し、当該特定した支払い金額と当該利用者のそれぞれの前記電子マネーのバリューとを用いて支払い処理を実行する支払い処理手段を更に備えることを特徴とする。
【００１５】
請求項１０に記載の発明は、複数の利用者から構成されるグループが施設において商取引を行う際の支払い総額を当該グループを構成する利用者が負担する支払い金額に分割して支払い処理を行うサーバ装置であって、通信手段を介して複数の携帯端末と通信を行うことが可能なサーバ装置において、前記サーバ装置は、前記利用者の電子マネーのバリューを当該利用者毎に固有の利用者識別情報に対応付けて記憶する記憶手段と、前記複数の携帯端末のうち何れか一の携帯端末から送信された識別情報発行要求であって前記複数の携帯端末それぞれの利用者の前記利用者識別情報、他の携帯端末の利用者の途中参加時刻、及び前記支払い総額を示す総額情報を含む前記識別情報発行要求を受信した場合に、支払い処理毎に固有の支払い識別情報を発行する発行手段と、受信された前記識別情報発行要求に含まれる前記利用者識別情報、前記途中参加時刻、及び前記総額情報と、前記発行手段により発行された前記支払い識別情報とを対応付けて登録する第１の登録手段と、前記途中参加時刻から前記識別情報発行要求を受信した時の利用終了時刻までの時間を前記他の携帯端末の利用者が施設に入ってから支払いまでの経過時間として算出し、前記総額情報に示される前記支払い総額を、前記経過時間に応じて分割することにより、当該経過時間に応じた支払い金額を算出する算出手段と、前記第１の登録手段により登録された前記支払い識別情報、及び前記算出手段により算出された前記支払い金額を示す支払金額情報を前記一の携帯端末へ送信する第１の送信手段と、を備え、前記サーバ装置から前記支払い識別情報を受信した前記一の携帯端末は、当該支払い識別情報、及び前記支払金額情報を無線通信により他の携帯端末へ送信し、当該支払い識別情報、及び前記支払金額情報を受信した前記他の携帯端末は、前記支払金額情報に基づいて当該他の携帯端末の利用者が負担する支払い金額を当該利用者に提示し、当該提示された前記支払い金額の承認指示が前記利用者からあった場合に、当該承認を示す承認情報、当該他の携帯端末の利用者の前記利用者識別情報、及び前記支払い識別情報を含む承認登録要求を前記サーバ装置へ送信するものであり、前記他の携帯端末から前記承認登録要求を受信した前記サーバ装置は、受信された承認登録要求に含まれる前記承認情報及び当該利用者識別情報を、前記第１の登録手段により登録された前記支払い識別情報に対応付けて登録する第２の登録手段と、前記第１の登録手段により登録された前記支払い識別情報に対応付けられて登録されている前記承認情報に基づき前記他の携帯端末の利用者による前記支払い金額の承認状況を示す承認状況情報を取得する取得手段と、前記取得手段により取得された前記承認状況情報を前記一の携帯端末へ送信する第４の送信手段と、を更に備え、前記サーバ装置から前記承認状況情報を受信した前記一の携帯端末は、前記承認状況情報に示される承認状況を前記利用者に提示した後に、当該利用者の前記利用者識別情報を前記施設の決済処理端末、または前記サーバ装置へ送信するものであり、前記決済処理端末または前記一の携帯端末から前記利用者識別情報を受信した前記サーバ装置は、当該利用者識別情報に対応付けられて登録されている情報及び前記算出手段により算出された前記支払い金額に基づいて前記一の携帯端末の利用者と前記承認情報を送信した前記他の携帯端末の利用者のそれぞれが負担する支払い金額を特定し、当該特定した支払い金額と当該利用者のそれぞれの前記電子マネーのバリューとを用いて支払い処理を実行する支払い処理手段を更に備えることを特徴とする。
【００１６】
請求項１１に記載のサーバ処理プログラムの発明は、請求項８乃至１０の何れか一項に記載のサーバ装置として機能させることを特徴とする。
【００１７】
請求項１２に記載の発明は、複数の利用者から構成されるグループが施設において商取引を行う際の支払い総額を当該グループを構成する利用者が負担する支払い金額に分割して支払い処理を行うサーバ装置であって、通信手段を介して複数の携帯端末と通信を行うことが可能なサーバ装置を備える支払い処理システムにおいて行われる支払い処理方法であって、前記サーバ装置が、前記利用者の電子マネーのバリューを当該利用者毎に固有の利用者識別情報に対応付けて記憶するステップと、前記サーバ装置が、前記複数の携帯端末のうち何れか一の携帯端末から送信された識別情報発行要求であって当該一の携帯端末の利用者の前記利用者識別情報、及び前記支払い総額を示す総額情報を含み、さらに、前記利用者の人数を示す人数情報、または、前記支払い総額が前記利用者の人数で除された支払い金額を示す支払金額情報を含む前記識別情報発行要求を受信した場合に、支払い処理毎に固有の支払い識別情報を発行するステップと、前記サーバ装置が、受信された前記識別情報発行要求に含まれる前記利用者識別情報及び前記総額情報と、前記発行された前記支払い識別情報とを対応付けて登録し、且つ、前記支払い総額が前記人数情報に示される前記人数で除された支払い金額、または、前記支払金額情報に示される支払い金額を、各利用者が負担する前記支払い金額として、当該支払い金額を示す支払金額情報を、前記支払い識別情報に対応付けて登録するステップと、前記サーバ装置が、前記登録された前記支払い識別情報及び前記支払金額情報を前記一の携帯端末へ送信するステップと、前記サーバ装置から前記支払い識別情報、及び前記支払金額情報を受信した前記一の携帯端末が、当該支払い識別情報、及び前記支払金額情報を無線通信により他の携帯端末へ送信するステップと、前記一の携帯端末から前記支払い識別情報、及び前記支払金額情報を受信した前記他の携帯端末が、当該支払金額情報に基づいて当該他の携帯端末の利用者が負担する支払い金額を当該利用者に提示し、当該支払い金額の承認指示が前記利用者からあった場合に、当該承認を示す承認情報、当該他の携帯端末の利用者の前記利用者識別情報、及び前記支払い識別情報を含む承認登録要求を前記サーバ装置へ送信するステップと、前記他の携帯端末から前記承認登録要求を受信した前記サーバ装置が、受信された承認登録要求に含まれる前記承認情報及び当該利用者識別情報を、前記登録された前記支払い識別情報に対応付けて登録するステップと、前記サーバ装置が、前記登録された前記支払い識別情報に対応付けられて登録されている前記承認情報に基づき前記他の携帯端末の利用者による前記支払い金額の承認状況を示す承認状況情報を取得するステップと、前記サーバ装置が、前記取得された前記承認状況情報を前記一の携帯端末へ送信するステップと、前記サーバ装置から前記承認状況情報を受信した前記一の携帯端末が、前記承認状況情報に示される承認状況を前記利用者に提示した後に、当該利用者の前記利用者識別情報を前記施設の決済処理端末、または前記サーバ装置へ送信するステップと、前記決済処理端末または前記一の携帯端末から前記利用者識別情報を受信した前記サーバ装置が、当該利用者識別情報に対応付けられて登録されている情報に基づいて前記一の携帯端末の利用者と前記承認情報を送信した前記他の携帯端末の利用者のそれぞれが負担する支払い金額を特定し、当該特定した支払い金額と当該利用者のそれぞれの前記電子マネーのバリューとを用いて支払い処理を実行するステップと、を含むことを特徴とする。
【００１８】
請求項１３に記載の発明は、複数の利用者から構成されるグループが施設において商取引を行う際の支払い総額を当該グループを構成する利用者が負担する支払い金額に分割して支払い処理を行うサーバ装置であって、通信手段を介して複数の携帯端末と通信を行うことが可能なサーバ装置を備える支払い処理システムにおいて行われる支払い処理方法であって、前記サーバ装置が、前記利用者の電子マネーのバリューを当該利用者毎に固有の利用者識別情報に対応付けて記憶するステップと、前記サーバ装置が、前記複数の携帯端末のうち何れか一の携帯端末から送信された識別情報発行要求であって当該一の携帯端末の利用者の前記利用者識別情報、前記支払い総額を示す総額情報、及び当該一の携帯端末において入力された、当該一の携帯端末の利用者が負担する支払い金額を示す支払金額情報を含む前記識別情報発行要求を受信した場合に、支払い処理毎に固有の支払い識別情報を発行するステップと、前記サーバ装置が、受信された前記識別情報発行要求に含まれる前記利用者識別情報、前記総額情報、及び前記支払金額情報と、前記発行された前記支払い識別情報とを対応付けて登録するステップと、前記サーバ装置が、前記登録された前記支払い識別情報を前記一の携帯端末へ送信するステップと、前記サーバ装置から前記支払い識別情報を受信した前記一の携帯端末が、当該支払い識別情報を無線通信により他の携帯端末へ送信するステップと、前記一の携帯端末から前記支払い識別情報を受信した前記他の携帯端末が、当該他の携帯端末において入力された支払い金額であって、当該他の携帯端末の利用者が負担する支払い金額を当該利用者に提示し、当該支払い金額の承認指示が前記利用者からあった場合に、当該承認を示す承認情報、当該他の携帯端末の利用者の前記利用者識別情報、前記入力された前記支払い金額を示す支払金額情報、及び前記支払い識別情報を含む承認登録要求を前記サーバ装置へ送信するステップと、前記他の携帯端末から前記承認登録要求を受信した前記サーバ装置が、受信された承認登録要求に含まれる前記承認情報、前記利用者識別情報、及び前記支払金額情報を、前記登録された前記支払い識別情報に対応付けて登録するステップと、前記サーバ装置が、前記登録された前記支払い識別情報に対応付けられて登録されている前記承認情報に基づき前記他の携帯端末の利用者による前記支払い金額の承認状況を示す承認状況情報を取得するステップと、前記サーバ装置が、前記取得された前記承認状況情報を前記一の携帯端末へ送信するステップと、前記サーバ装置から前記承認状況情報を受信した前記一の携帯端末が、前記承認状況情報に示される承認状況を前記利用者に提示した後に、当該利用者の前記利用者識別情報を前記施設の決済処理端末、または前記サーバ装置へ送信するステップと、前記決済処理端末または前記一の携帯端末から前記利用者識別情報を受信した前記サーバ装置が、当該利用者識別情報に対応付けられて登録されている情報に基づいて前記一の携帯端末の利用者と前記承認情報を送信した前記他の携帯端末の利用者のそれぞれが負担する支払い金額を特定し、当該特定した支払い金額と当該利用者のそれぞれの前記電子マネーのバリューとを用いて支払い処理を実行するステップと、を含むことを特徴とする。請求項１４に記載の発明は、複数の利用者から構成されるグループが施設において商取引を行う際の支払い総額を当該グループを構成する利用者が負担する支払い金額に分割して支払い処理を行うサーバ装置であって、通信手段を介して複数の携帯端末と通信を行うことが可能なサーバ装置を備える支払い処理システムにおいて行われる支払い処理方法であって、前記サーバ装置が、前記利用者の電子マネーのバリューを当該利用者毎に固有の利用者識別情報に対応付けて記憶するステップと、前記サーバ装置が、前記複数の携帯端末のうち何れか一の携帯端末から送信された識別情報発行要求であって前記複数の携帯端末それぞれの利用者の前記利用者識別情報、他の携帯端末の利用者の途中参加時刻、及び前記支払い総額を示す総額情報を含む前記識別情報発行要求を受信した場合に、支払い処理毎に固有の支払い識別情報を発行するステップと、前記サーバ装置が、受信された前記識別情報発行要求に含まれる前記利用者識別情報、前記途中参加時刻、及び前記総額情報と、前記発行された前記支払い識別情報とを対応付けて登録するステップと、前記サーバ装置が、前記途中参加時刻から前記識別情報発行要求を受信した時の利用終了時刻までの時間を前記他の携帯端末の利用者が施設に入ってから支払いまでの経過時間として算出し、前記総額情報に示される前記支払い総額を、前記経過時間に応じて分割することにより、当該経過時間に応じた支払い金額を算出するステップと、前記サーバ装置が、前記登録された前記支払い識別情報、及び前記算出された前記支払い金額を示す支払金額情報を前記一の携帯端末へ送信するステップと、前記サーバ装置から前記支払い識別情報を受信した前記一の携帯端末が、当該支払い識別情報、及び前記支払金額情報を無線通信により他の携帯端末へ送信するステップと、前記一の携帯端末から前記支払い識別情報、及び前記支払金額情報を受信した前記他の携帯端末が、前記支払金額情報に基づいて当該他の携帯端末の利用者が負担する支払い金額を当該利用者に提示し、当該支払い金額の承認指示が前記利用者からあった場合に、当該承認を示す承認情報、当該他の携帯端末の利用者の前記利用者識別情報、及び前記支払い識別情報を含む承認登録要求を前記サーバ装置へ送信するステップと、前記他の携帯端末から前記承認登録要求を受信した前記サーバ装置が、受信された承認登録要求に含まれる前記承認情報及び当該利用者識別情報を、前記登録された前記支払い識別情報に対応付けて登録するステップと、前記サーバ装置が、前記登録された前記支払い識別情報に対応付けられて登録されている前記承認情報に基づき前記他の携帯端末の利用者による前記支払い金額の承認状況を示す承認状況情報を取得するステップと、前記サーバ装置が、前記取得された前記承認状況情報を前記一の携帯端末へ送信するステップと、前記サーバ装置から前記承認状況情報を受信した前記一の携帯端末が、前記承認状況情報に示される承認状況を前記利用者に提示した後に、当該利用者の前記利用者識別情報を前記施設の決済処理端末、または前記サーバ装置へ送信するステップと、前記決済処理端末または前記一の携帯端末から前記利用者識別情報を受信した前記サーバ装置が、当該利用者識別情報に対応付けられて登録されている情報及び前記算出された前記支払い金額に基づいて前記一の携帯端末の利用者と前記承認情報を送信した前記他の携帯端末の利用者のそれぞれが負担する支払い金額を特定し、当該特定した支払い金額と当該利用者のそれぞれの前記電子マネーのバリューとを用いて支払い処理を実行するステップと、を含むことを特徴とする。
【発明の効果】
【００１９】
本発明によれば、携帯端末において代表となる利用者に対して他の利用者による支払い金額の承認状況を提示した後に、当該代表となる利用者の利用者識別情報が送信されることで支払い処理が行われるように構成したので、代表となる利用者は、支払い指示を行う前に、他の代表者による承認状況を了承することができるため、グループ内の利用者間で揉めることを極力防止することができる。従って、グループが施設において商取引を行う際の支払い総額の支払い精算を、より効率良く行うことができる。
【図面の簡単な説明】
【００２０】
【図１】本実施形態に係る支払い処理システムの概要構成例を示す図である。
【図２】（Ａ）は、本実施形態に係るマネーサーバＳＡの概要構成例を示す図であり、（Ｂ）は、本実施形態に係る携帯端末Ｔｎの概要構成例を示す図であり、（Ｃ）は、携帯端末Ｔｎ内の機能ブロック例を示す概念図である。
【図３】実施例１〜実施例３に係る支払い処理システムＳにおける処理及び情報の流れ等を示すシーケンス図である。
【図４】図３に示すステップＳ２９におけるマネーサーバＳＡの支払い処理の詳細を示すフローチャートである。
【図５】実施例１における携帯端末Ｔｎの表示部１４に表示される画面例を示す図である。
【図６】実施例１における割り勘テーブル及び割り勘承認テーブルの登録内容の一例を示す図である。
【図７】実施例１における携帯端末Ｔｎの表示部１４に表示される画面例を示す図である。
【図８】実施例２における携帯端末Ｔｎの表示部１４に表示される画面例を示す図である。
【図９】実施例２における割り勘テーブル及び割り勘承認テーブルの登録内容の一例を示す図である。
【図１０】実施例３における携帯端末Ｔｎの表示部１４に表示される画面例を示す図である。
【図１１】実施例３における割り勘テーブル及び割り勘承認テーブルの登録内容の一例を示す図である。
【図１２】（Ａ）は、実施例３において、在席時間に応じた比率の一例を示す図である。（Ｂ）は、実施例３における割り勘承認テーブルに追加されたの登録内容の一例を示す図である。
【発明を実施するための形態】
【００２１】
以下、本発明を実施するための実施形態について、図面に基づいて説明する。
【００２２】
［１．支払い処理システムの構成及び機能］
先ず、図１を参照して、本実施形態に係る支払い処理システムの構成及び機能について説明する。図１は、本実施形態に係る支払い処理システムの概要構成例を示す図である。
【００２３】
図１に示すように、支払い処理システムＳは、マネーサーバＳＡ、複数の携帯端末Ｔｎ（Ｔ＝１〜４）、及び施設の決済処理端末ＰＴ等を備えて構成される。マネーサーバＳＡは、複数の利用者Ａ〜Ｄから構成されるグループが施設において商取引を行う際の支払い総額を当該グループを構成する利用者Ａ〜Ｄが負担する支払い金額に分割して支払い処理を行うサーバ装置の一例である。ここで、利用者とは、支払い処理システムＳ及び携帯端末Ｔｎを利用する人を意味する。施設の例としては、店舗、ホテル、旅館、遊園地、動物園、映画館等が挙げられる。店舗の例としては、商品を販売する店舗、商品を貸し出す店舗、サービスを提供する店舗等が挙げられる。また、「商取引を行う」には、例えば、商品を購入、飲食サービスを利用（例えば、レストランで飲食）、宿泊サービスを利用（例えば、ホテルに宿泊）等が挙げられる。
【００２４】
また、マネーサーバＳＡは、ネットワークＮＷ（通信手段の一例）を介して携帯端末Ｔｎ、及び決済処理端末ＰＴと通信を行うことが可能になっている。ネットワークＮＷは、インターネット、専用通信回線（例えば、ＣＡＴＶ（Community Antenna Television）回線）、移動体通信網（基地局等を含む）、及びゲートウェイ等により構築されている。決済処理端末ＰＴは、例えば店舗に設置されたＰＯＳ（Point Of Sales）レジであり、公知の決済処理機能を有する。決済処理端末ＰＴには、リーダライタＲ／Ｗが接続されている。リーダライタＲ／Ｗは、近距離無線通信規格であるFeliCa（登録商標）が採用されたＩＣチップ、または近距離無線通信規格の国際標準「ISO/IEC 18092」として承認されたNFC(Near Field Communication)が採用されたＩＣチップが搭載された携帯端末Ｔｎとの間で近距離無線通信（非接触近接通信）を行うことが可能になっている。これにより、携帯端末Ｔｎは、リーダライタＲ／Ｗを介して決済処理端末ＰＴと通信を行うことが可能になっている。
【００２５】
次に、図２（Ａ）を参照して、本実施形態に係るマネーサーバＳＡの構成及び機能について説明する。図２（Ａ）は、本実施形態に係るマネーサーバＳＡの概要構成例を示す図である。図２（Ａ）に示すように、マネーサーバＳＡは、通信部１、記憶部２（記憶手段の一例）、及びシステム制御部３等を備える。なお、マネーサーバＳＡは、例えば電子マネー会社により運用される。
【００２６】
通信部１は、ネットワークＮＷに接続して携帯端末Ｔｎや決済処理端末ＰＴとの通信状態を制御する。
【００２７】
記憶部２は、例えば、ハードディスクドライブ等により構成されており、オペレーティングシステム及び本発明のサーバ処理プログラム等を記憶する。なお、サーバ処理プログラムは、例えば、所定のサーバ等からネットワークＮＷを介して配信されるようにしても良いし、ＣＤ（Compact Disc）、ＤＶＤ（Digital Versatile Disc）等の記録媒体に記録されて提供されるようにしてもよい。
【００２８】
また、記憶部２には、電子マネーデータベース（ＤＢ）２１が構築されている。電子マネーデータベース２１には、利用者の電子マネーのバリューが当該利用者毎に固有の会員ＩＤ（利用者識別情報の一例）に対応付けて登録されている。会員ＩＤは、例えば、携帯端末ＴｎがネットワークＮＷを介してアプリケーション提供サーバ（図示せず）に接続し、マネーアプリケーションプログラム（以下、「マネーアプリ」という）をダウンロードする際に、当該携帯端末Ｔｎの利用者に対して発行される。このように会員ＩＤが発行されると、携帯端末ＴｎはネットワークＮＷを介してマネーサーバＳＡに接続し、当該携帯端末Ｔｎにチャージされた電子マネーのバリューを会員ＩＤと共にマネーサーバＳＡへ送信して電子マネーデータベース２１に登録させることが可能となる。なお、携帯端末Ｔｎへの電子マネーのバリューのチャージは、公知の種々の方法で行うことができる。さらに、電子マネーデータベース２１には、施設の電子マネーのバリューが当該施設毎に固有の施設ＩＤに対応付けて登録されている。なお、電子マネーデータベース２１には、施設の電子マネーのバリュー自体ではなく、各施設へ支払う電子マネーのバリューに対応する金額情報が、施設毎に固有の施設ＩＤに対応付けられて登録されていてもよい。
【００２９】
システム制御部３は、ＣＰＵ（Central Processing Unit）、ＲＯＭ（Read Only Memory）、ＲＡＭ（Random Access Memory）等により構成される。そして、コンピュータとしてのシステム制御部３は、サーバ処理プログラムを実行することにより、本発明における発行手段、第１の登録手段、第２の登録手段、取得手段、算出手段、第１の送信手段、第４の送信手段、及び支払い処理手段等として機能する。
【００３０】
より具体的には、システム制御部３は、複数の携帯端末Ｔｎのうち例えば携帯端末Ｔ１（複数の携帯端末Ｔｎのうち何れか一の携帯端末の一例）から送信された支払い処理ＩＤ発行要求を通信部１を介して受信した場合に、支払い処理毎に固有の支払い処理ＩＤ（支払い識別情報の一例）を発行する。ここで、支払い処理ＩＤ発行要求には、少なくとも、支払い総額を示す総額情報、及び例えば携帯端末Ｔ１の利用者Ａ（支払者）の会員ＩＤが含まれる。支払い総額は、例えば店舗からグループに対して提供されたサービスの利用に対する合計金額である。更に、支払い処理ＩＤ発行要求には、支払い人数を示す人数情報、及び割り勘方式を示す割り勘方式情報が含まれてもよい。支払い人数は、グループを構成する利用者の人数であるが、グループ内の全員であるとは限らない。例えば、利用者Ａ〜Ｄの４人のうちの３人が割り勘で支払う場合もある。割り勘方式には、均等割と不均等割と時間比割とがある。割り勘方式が均等割の場合、支払い総額を支払い人数で除した金額が、各利用者が負担する支払い金額となる。なお、割り勘方式が不均等割の場合、人数情報は必ずしも必要でない。
【００３１】
そして、システム制御部３は、受信された支払い処理ＩＤ発行要求に含まれる支払者の会員ＩＤ及び総額情報等と、発行した支払い処理ＩＤとを対応付けて割り勘情報として例えば不揮発性メモリに格納される割り勘テーブルに登録する。このとき、システム制御部３は、支払者による支払い金額の承認を示す承認情報、及び支払者の会員ＩＤ等を、既に登録されている上記支払い処理ＩＤに対応付けて支払者の割り勘承認情報として例えば不揮発性メモリに格納される割り勘承認テーブルに登録する（つまり、支払者のレコードが新規登録される）。ここで、承認情報には、例えば、承認された支払い金額、及び承認日時等が含まれる。また、システム制御部３は、少なくとも支払い処理ＩＤを通信部１及びネットワークＮＷを介して携帯端末Ｔ１へ送信する。こうして送信された支払い処理ＩＤを受信した携帯端末Ｔ１は、当該支払い処理ＩＤを近距離無線通信により例えば携帯端末Ｔ２（他の携帯端末の一例）へ送信する。一方、当該支払い処理ＩＤを受信した携帯端末Ｔ２は、利用者Ｂ（同席者）が負担する支払い金額を当該利用者Ｂに提示し、当該提示された支払い金額の承認指示が当該利用者Ｂからあった場合に、当該承認を示す承認情報、当該携帯端末Ｔ２の利用者Ｂの会員ＩＤ、及び上記支払い処理ＩＤを含む承認登録要求をマネーサーバＳＡへ送信する。なお、携帯端末Ｔ１が近距離無線通信により例えば携帯端末Ｔ３へ支払い処理ＩＤを送信した場合、携帯端末Ｔ３からマネーサーバＳＡへ承認登録要求が送信される。
【００３２】
そして、システム制御部３は、例えば携帯端末Ｔ２等から送信された承認登録要求を通信部１を介して受信した場合に、受信された承認登録要求に含まれる承認情報及び同席者の会員ＩＤを、既に登録されている上記支払い処理ＩＤに対応付けて同席者の割り勘承認情報として例えば不揮発性メモリに格納される割り勘承認テーブルに登録する。また、システム制御部３は、支払い処理ＩＤに対応付けられて登録されている承認情報に基づき携帯端末Ｔ２等の利用者による支払い金額の承認状況を示す承認状況情報を取得し、当該取得した承認状況情報を携帯端末Ｔ１へ送信する。ここで、承認状況情報には、例えば、承認された支払い金額、及び当該支払い金額を承認した利用者の会員ＩＤ等が含まれる。なお、システム制御部３は、例えば、携帯端末Ｔ１から送信された確認要求を受信した場合に、上記承認状況情報の取得及び送信を行う。ここで、確認要求には、上記支払い処理ＩＤが含まれる。なお、システム制御部３は、支払い処理ＩＤを割り勘テーブルに登録してから所定時間経過した場合に、上記承認状況情報の取得及び送信を行うようにしてもよい。
【００３３】
こうして送信された承認状況情報を受信した携帯端末Ｔ１は、当該承認状況情報に示される承認状況を利用者Ａに提示した後に、当該提示された承認状況を確認した利用者Ａの会員ＩＤを近距離無線通信によりリーダライタＲ／Ｗを介して、例えば店舗に設置された決済処理端末ＰＴに送信する。なお、携帯端末Ｔ１から決済処理端末ＰＴへ送信される会員ＩＤは、従来、携帯電話機やスマートフォンからＰＯＳレジへ送信される決済処理要求と同様である。そのため、従来のＰＯＳレジ側のプログラムを改修せずに、本発明を適用することができる。決済処理端末ＰＴは、携帯端末Ｔ１から会員ＩＤを受信すると、この会員ＩＤ及び支払い総額を示す総額情報を含む支払い処理要求をネットワークＮＷを介してマネーサーバＳＡに送信する。ここで、支払い総額は、店舗の店員がＰＯＳレジで金額を打ち込むことにより得られる。或いは、支払い総額を示す総額情報が会員ＩＤと共に携帯端末Ｔ１から決済処理端末ＰＴへ送信されるように構成してもよい。なお、会員ＩＤ及び上記総額情報を含む支払い処理要求は、携帯端末Ｔ１から直接、マネーサーバＳＡに送信されるように構成してもよい。そして、システム制御部３は、決済処理端末ＰＴまたは携帯端末Ｔ１から送信された支払い処理要求を受信した場合に、当該支払い処理要求に含まれる会員ＩＤ（支払者の会員ＩＤ）に対応付けられて割り勘承認テーブル登録されている情報に基づいて携帯端末Ｔ１の利用者Ａと上記承認情報を送信した携帯端末Ｔ２等の利用者Ｂ等のそれぞれが負担する支払い金額を特定し、当該特定した支払い金額と当該利用者のそれぞれの電子マネーのバリューとを用いて支払い処理を実行する。
【００３４】
次に、図２（Ｂ）及び図２（Ｃ）を参照して、本実施形態に係る携帯端末Ｔｎの構成及び機能について説明する。図２（Ｂ）は、本実施形態に係る携帯端末Ｔｎの概要構成例を示す図であり、図２（Ｃ）は、携帯端末Ｔｎ内の機能ブロック例を示す概念図である。図２（Ｂ）に示すように、携帯端末Ｔｎは、アンテナ１１、ＩＣチップ１２、スピーカ１３、表示部１４、操作部１５、移動体無線通信部１６、及び制御部１７等を備えて構成される。なお、携帯端末Ｔｎの例としては、携帯電話機やスマートフォン等が挙げられる。
【００３５】
アンテナ１１は、携帯端末Ｔｎ（ＩＣチップ１２）がリーダライタＲ／Ｗとの間で近距離無線通信を行うためのアンテナである。ＩＣチップ１２は、FeliCa（登録商標）またはNFCが採用されたＩＣチップである。ＩＣチップ１２には、該携帯端末Ｔｎの利用者の会員ＩＤ（携帯端末Ｔ１であれば、利用者Ａの会員ＩＤ）が記憶される。ＩＣチップ１２は、通信圏内に入ったリーダライタＲ／Ｗとの間でアンテナ１１を介して近距離無線通信を行うことが可能になっている。更に、ＩＣチップ１２は、通信圏内に入った他の携帯端末ＴｎのＩＣチップ１２との間でアンテナ１１を介して近距離無線通信を行うことが可能になっている。
【００３６】
表示部１４は、タッチパネル式のディスプレイを備えており、制御部１７による制御の下、各種画面をディスプレイ上に表示する。この画面には、例えば、利用者に各種情報を提示するための画面、及び利用者から情報入力や各種指示を受け付けるための画面等がある。また、操作部１５には、利用者から情報入力や各種指示を受け付けるための操作ボタンが備えられる。
【００３７】
移動体無線通信部１６は、移動体通信網の基地局等との間の通信を担う。これにより、携帯端末Ｔｎは、ネットワークＮＷに接続してマネーサーバＳＡと通信を行うことが可能になっている。
【００３８】
制御部１７は、ＣＰＵ，ＲＡＭ，ＲＯＭ，不揮発性メモリ等を備える。ＲＯＭまたは不揮発性メモリには、プログラムと各データ等が記憶されている。ＲＯＭまたは不揮発性メモリに記憶されるプログラムには、オペレーティングシステム、ミドルウェア、ブラウザ、及びアプリケーションプログラムが含まれる。アプリケーションプログラムには、上述したマネーアプリ(本発明のコンピュータプログラムを含む)が含まれる。また、マネーアプリがインストールされた携帯端末Ｔｎの不揮発性メモリには、該携帯端末Ｔｎの利用者の会員ＩＤ等が記憶されるように構成してもよい。
【００３９】
そして、コンピュータとしての制御部１７は、マネーアプリを実行することにより、本発明における第１の提示手段、第２の提示手段、第２の送信手段、第３の送信手段、第５の送信手段、及び第６の送信手段等として機能し、後述する処理を行う。例えば、マネーアプリがＣＰＵに、上記支払い処理ＩＤ発行要求をマネーサーバＳＡに送信するステップと、当該支払い処理ＩＤ発行要求に応じてマネーサーバＳＡにより発行された支払い処理ＩＤをマネーサーバＳＡから受信するステップと、受信された支払い処理ＩＤを近距離無線通信により他の携帯端末Ｔｎへ送信するステップと、当該支払い処理ＩＤを受信した他の携帯端末Ｔｎの利用者が負担する支払い金額の承認を示す承認情報を当該他の携帯端末Ｔｎから受信したマネーサーバＳＡにより取得された承認状況情報をマネーサーバＳＡから受信するステップと、当該承認状況情報に示される承認状況を携帯端末Ｔｎの利用者に提示した後に、当該利用者の会員ＩＤを決済処理端末ＰＴ、またはマネーサーバＳＡへ送信するステップと、を少なくとも実行させる。なお、マネーアプリは、例えば、アプリケーション提供サーバ等からネットワークＮＷを介して配信されるようにしても良いし、ＣＤ（Compact Disc）、ＤＶＤ（Digital Versatile Disc）等の記録媒体に記録されて提供されるようにしてもよい。ミドルウェアは、図２（Ｃ）に示すように、ＩＣチップ１２とアプリケーションプログラムとの間を情報のやりとりを仲介する機能を担う。
【００４０】
［２．支払い処理システムの動作］
次に、図３〜図１１を参照して、本実施形態に係る支払い処理システムＳにおける動作例について、割り勘方式が均等割の場合の実施例１と、割り勘方式が不均等割の場合の実施例２と、割り勘方式が時間比割の場合の実施例３とに分けて説明する。図３は、実施例１〜実施例３に係る支払い処理システムＳにおける処理及び情報の流れ等を示すシーケンス図である。図４は、図３に示すステップＳ２９におけるマネーサーバＳＡの支払い処理の詳細を示すフローチャートである。図５は、実施例１における携帯端末Ｔｎの表示部１４に表示される画面例を示す図である。図６は、実施例１における割り勘テーブル及び割り勘承認テーブルの登録内容の一例を示す図である。図７は、実施例１における携帯端末Ｔｎの表示部１４に表示される画面例を示す図である。図８は、実施例２における携帯端末Ｔｎの表示部１４に表示される画面例を示す図である。図９は、実施例２における割り勘テーブル及び割り勘承認テーブルの登録内容の一例を示す図である。図１０は、実施例３における携帯端末Ｔｎの表示部１４に表示される画面例を示す図である。図１１は、実施例３における割り勘テーブル及び割り勘承認テーブルの登録内容の一例を示す図である。
【００４１】
（実施例１）
先ず、割り勘方式が均等割の場合の実施例１について説明する。携帯端末Ｔ１の制御部１７は、利用者Ａからマネーアプリの起動指示があった場合に当該マネーアプリを起動し（ステップＳ１）、図５（Ａ）に示すような「割り勘メニュー画面」を表示部１４に表示させる。図５（Ａ）に示す割り勘メニュー画面には、選択項目の一覧が利用者により指定可能に表示されている。選択項目には、「１．支払い」、「２．割り勘」、「３．履歴確認」、「４．メッセージ確認」、「５．時刻登録」等がある。「１．支払い」は割り勘を行わない通常の支払い処理を実行させるための選択項目であり、「２．割り勘」は割り勘支払い処理を実行させるための選択項目である。例えば店舗を利用したグループが割り勘で支払い精算をする場合、当該グループ内の利用者Ａが割り勘メニュー画面に表示された「２．割り勘」を指定（例えば、画面上をタップ）すると、図５（Ｂ）に示すような「割り勘情報入力画面」が表示部１４に表示される。次いで、携帯端末Ｔ１の制御部１７は、利用者Ａの操作に応じて、割り勘情報入力画面に設けられた入力欄５１から支払い総額（図５（Ｂ）に示す例では、１８，０００円）を、入力欄５２から支払い人数（図５（Ｂ）に示す例では、４人）を、入力欄５３から割り勘方式（図５（Ｂ）に示す例では、均等割）を、それぞれ入力する（ステップＳ２）。なお、支払い総額等は、プルダウン表示された入力候補リストから利用者Ａにより選択されることで入力されてもよい。また、図５（Ｂ）に示す例では、割り勘方式が均等割であるため、携帯端末Ｔ１の制御部１７は、入力された支払い総額を、入力された支払い人数で除した支払い金額を算出し、割り勘情報入力画面に表示している。
【００４２】
以上のように支払い総額等が入力された後、割り勘情報入力画面に設けられたＯＫボタン５４が利用者Ａにより指定されることにより、携帯端末Ｔ１の制御部１７は、割り勘準備指示を受け付ける（ステップＳ３）。このように利用者Ａから割り勘準備指示があった場合、携帯端末Ｔ１の制御部１７は、割り勘準備処理呼び出しを移動体無線通信部１６及びネットワークＮＷを介してマネーサーバＳＡへ送信する（ステップＳ４）。ここで、割り勘準備処理呼び出しは、マネーサーバＳＡに割り勘準備処理を実行させるためのメッセージである。割り勘準備処理呼び出しには、上述した支払い処理ＩＤ発行要求が含まれる。この支払い処理ＩＤ発行要求には、例えば、入力された支払い総額を示す総額情報、入力された支払い人数を示す人数情報、入力された割り勘方式を示す割り勘方式情報、及び携帯端末Ｔ１の利用者Ａの会員ＩＤ（例えば、1111-1111）が含まれる。また、図５（Ｂ）に示す例では、利用者Ａが負担するべき支払い金額が表示されているので、利用者ＡがＯＫボタン５４を指定することは、利用者Ａが当該支払い金額を承認したことになる。そのため、この場合、支払い処理ＩＤ発行要求には、利用者Ａによる支払い金額の承認を示す承認情報が含まれる。また、支払い処理ＩＤ発行要求に、携帯端末Ｔ１の制御部１７により算出された一人あたりの支払い金額を示す支払い金額情報が含まれるように構成してもよい。この構成によれば、マネーサーバＳＡ側で一人あたりの支払い金額を算出する負荷を削減することができる。なお、携帯端末Ｔ１がマネーサーバＳＡにアクセスするためのアドレス情報（例えばＩＰアドレスやＵＲＬ）は、マネーアプリで規定されている。
【００４３】
マネーサーバＳＡのシステム制御部３は、携帯端末Ｔ１から送信された割り勘準備処理呼び出しを通信部１を介して受信すると、割り勘準備処理を開始し、上述した支払い処理ＩＤを発行する（ステップＳ５）。次いで、システム制御部３は、受信された支払い処理ＩＤ発行要求に含まれる利用者Ａ（支払者）の会員ＩＤ及び総額情報等と、ステップＳ５で発行された支払い処理ＩＤとを対応付けて割り勘情報として、例えば図６（Ａ）に示すように割り勘テーブルに登録する（ステップＳ６）。ここで、図６（Ａ）に示す割り勘予約日時は、例えば割り勘情報を割り勘テーブルに登録する日時である。次いで、システム制御部３は、利用者Ａによる支払い金額の承認を示す承認情報（例えば、承認された支払い金額、及び承認日時を含む）、及び利用者Ａの会員ＩＤ等を、ステップＳ５で発行された支払い処理ＩＤに対応付けて利用者Ａの割り勘承認情報として、例えば図６（Ｃ）に示すように割り勘承認テーブルに登録する（ステップＳ７）。ここで、図６（Ｃ）に示す支払い金額は、例えば、システム制御部３により割り勘承認情報の登録の際に算出されたものであってもよいし、支払い処理ＩＤ発行要求に支払い金額情報が含まれる場合に当該支払い金額情報で示されるものであってもよい。なお、上記ステップＳ７の別の例として、システム制御部３は、当該支払い金額の承認を要求する承認要求メッセージを携帯端末Ｔ１へ送信することで、携帯端末Ｔ１から利用者Ａによる支払い金額の承認を示す承認情報の返信があった場合に、割り勘承認情報を割り勘承認テーブルに登録するように構成してもよい。
【００４４】
さらに、図６（Ｃ）に示す例では、システム制御部３は、割り勘承認情報の登録の際に、利用者Ａの会員ＩＤをキーとして、電子マネーデータベース２１に登録されている利用者Ａの電子マネーのバリューを確認し、利用者Ａにより承認された支払い金額以上の残高があるかどうかを判定（残高確認）した結果である（図６（Ｃ）に示す例では、判定結果を示す情報として、残高有を示す情報「ＯＫ」）を登録している。なお、利用者Ａにより承認された支払い金額以上の残高がない場合、システム制御部３は、携帯端末Ｔ１に対して当該支払い金額に相当する電子マネーのバリューの登録を促す情報を送信して、携帯端末Ｔ１に電子マネーのバリューをマネーサーバＳＡへ送信させるように構成してもよい。次いで、システム制御部３は、割り勘準備処理返答を通信部１及びネットワークＮＷを介して携帯端末Ｔ１へ送信する（ステップＳ８）。ここで、割り勘準備処理返答は、割り勘準備処理の結果を示すメッセージである。割り勘準備処理返答には、ステップＳ５で発行された支払い処理ＩＤが含まれる。さらに、割り勘準備処理返答には、システム制御部３により算出された一人あたりの支払い金額を示す支払金額情報が含まれてもよい。
【００４５】
携帯端末Ｔ１の制御部１７は、マネーサーバＳＡから送信された割り勘準備処理返答を移動体無線通信部１６を介して受信すると、例えば図５（Ｃ）に示すような「割り勘準備中画面」を表示部１４に表示させる（ステップＳ９）。この割り勘準備中画面には、割り勘準備処理結果が表示される。そして、例えば利用者Ａが携帯端末Ｔ１を携帯端末Ｔ２に近づけると、携帯端末Ｔ１と携帯端末Ｔ２は、公知の近距離無線通信規格に準拠した機能によりお互いのＩＣチップ１２を検出する（ステップＳ１０）。これにより、携帯端末Ｔ１と携帯端末Ｔ２との近距離無線通信が確立した後、図５（Ｃ）に示すような割り勘準備中画面が利用者Ａにより指定（例えば、タップ）されることにより、携帯端末Ｔ１の制御部１７は、割り勘承認依頼指示を受け付ける（ステップＳ１１）。このように利用者Ａから割り勘承認依頼指示があった場合、携帯端末Ｔ１の制御部１７は、割り勘承認依頼をＩＣチップ１２を介して携帯端末Ｔ２に送信する（ステップＳ１２）。ここで、割り勘承認依頼は、携帯端末Ｔ２の利用者Ｂに上記支払い金額の承認を依頼するためのメッセージである。割り勘承認依頼には、上述した支払い処理ＩＤ、利用者Ａの会員ＩＤ、利用者Ｂが負担するべき支払い金額を示す支払金額情報、及びマネーアプリを起動させるためのコマンド等が含まれる。
【００４６】
携帯端末Ｔ２の制御部１７は、携帯端末Ｔ１から送信された割り勘承認依頼をＩＣチップ１２を介して受信すると、マネーアプリを起動し（ステップＳ１３）、図５（Ｄ）に示すような「割り勘承認依頼画面」を表示部１４に表示させることで利用者Ｂ（同席者）が負担する支払い金額を当該利用者Ｂに提示する。なお、支払い金額の提示は、スピーカ１３を通じて音声により行うように構成してもよい。そして、図５（Ｄ）に示すような割り勘承認依頼画面に設けられたＯＫボタン５５が利用者Ｂにより指定されることにより、携帯端末Ｔ２の制御部１７は、割り勘承認指示（利用者Ｂに提示された支払い金額の承認指示）を受け付ける（ステップＳ１４）。このように利用者Ｂから承認指示があった場合、携帯端末Ｔ２の制御部１７は、割り勘承認処理呼び出しを移動体無線通信部１６及びネットワークＮＷを介してマネーサーバＳＡへ送信する（ステップＳ１５）。ここで、割り勘承認処理呼び出しは、マネーサーバＳＡに割り勘承認処理を実行させるためのメッセージである。割り勘承認処理呼び出しには、上述した承認登録要求が含まれる。承認登録要求には、上述したように、利用者Ｂによる支払い金額の承認を示す承認情報、当該利用者Ｂの会員ＩＤ（例えば、2222-2222）、及び上記支払い処理ＩＤが含まれる。また、承認登録要求に、利用者Ｂにより承認された支払い金額を示す支払金額情報が含まれるように構成してもよい。
【００４７】
マネーサーバＳＡのシステム制御部３は、携帯端末Ｔ２から送信された割り勘承認処理呼び出しを通信部１を介して受信すると、割り勘承認処理を開始し、受信された承認登録要求に含まれる利用者Ｂ（同席者）の会員ＩＤ及び承認情報（例えば、承認された支払い金額、及び承認日時を含む）等を、受信された承認登録要求に含まれる支払い処理ＩＤと同一の既に登録されている支払い処理ＩＤに対応付けて同席者の割り勘承認情報として、例えば図６（Ｄ）に示すように割り勘承認テーブルに追加登録する（ステップＳ１６）。つまり、同席者のレコードが追加登録される。さらに、図６（Ｄ）に示す例では、システム制御部３は、割り勘承認情報の登録の際に、利用者Ｂの会員ＩＤをキーとして、電子マネーデータベース２１に登録されている利用者Ｂの電子マネーのバリューを確認し、利用者Ｂにより承認された支払い金額以上の残高があるかどうかを判定した結果（図６（Ｄ）に示す例では、判定結果を示す情報として、残高有を示す情報「ＯＫ」）を登録している。つまり、システム制御部３は、受信された承認登録要求に含まれる会員ＩＤに対応する利用者Ｂにより承認された支払い金額と、当該会員ＩＤに対応付けられて電子マネーデータベース２１に登録されている電子マネーのバリューの残高とを比較し、当該残高が当該承認された支払い金額以上あるか否かを判定し、当該判定結果を示す情報を、上記支払い処理ＩＤに対応付けて割り勘承認テーブルに登録している。なお、利用者Ｂの電子マネーのバリュー残高無の場合には、判定結果を示す情報として、残高無を示す情報「ＮＧ」が登録される。なお、この場合、システム制御部３は、携帯端末Ｔ２に対して当該支払い金額に相当する電子マネーのバリューの登録を促す情報を送信して、携帯端末Ｔ２に電子マネーのバリューをマネーサーバＳＡへ送信させるように構成してもよい。この構成によれば、代表となる利用者Ａは、他の利用者が残高不足になることを防止することができる。
【００４８】
次いで、システム制御部３は、割り勘承認処理返答を通信部１及びネットワークＮＷを介して携帯端末Ｔ２へ送信する（ステップＳ１７）。ここで、割り勘承認処理返答は、割り勘承認処理の結果を示すメッセージである。そして、携帯端末Ｔ２の制御部１７は、マネーサーバＳＡから送信された割り勘承認処理返答を移動体無線通信部１６を介して受信すると、例えば図５（Ｅ）に示すような「割り勘承認完了画面」を表示部１４に表示させる（ステップＳ１８）。この割り勘承認完了画面には、割り勘承認処理結果が表示される。なお、上記ステップＳ１０からステップＳ１８の処理は、携帯端末Ｔ３及びＴ４においても同じように行われる。
【００４９】
一方、携帯端末Ｔ１の制御部１７は、利用者Ａによる例えば画面更新操作により承認状況確認指示を受け付けると（ステップＳ１９）、承認状況確認処理呼び出しを移動体無線通信部１６及びネットワークＮＷを介してマネーサーバＳＡへ送信する（ステップＳ２０）。ここで、承認状況確認処理呼び出しは、マネーサーバＳＡに承認状況確認処理を実行させるためのメッセージである。承認状況確認処理呼び出しには、上述した確認要求が含まれる。これにより、以下に説明するように、利用者Ａは、自身が都合の良いタイミングで他の利用者Ｂ等による承認状況の確認を行うことができる。マネーサーバＳＡのシステム制御部３は、携帯端末Ｔ１から送信された承認状況確認処理呼び出しを通信部１を介して受信すると、承認状況確認処理を開始し、受信された確認要求に含まれる支払い処理ＩＤに対応付けられて登録されている承認情報（または、承認情報及び上記判定結果を示す情報）に基づき各利用者による支払い金額の承認状況を示す承認状況情報を取得する（ステップＳ２１）。なお、この承認状況情報には、残高有無を示す情報が含まれることが望ましい。次いで、システム制御部３は、取得した承認状況情報を含む承認状況確認処理返答を通信部１及びネットワークＮＷを介して携帯端末Ｔ１へ送信する（ステップＳ２２）。ここで、承認状況確認処理返答は、承認状況確認処理の結果を示すメッセージである。携帯端末Ｔ１の制御部１７は、マネーサーバＳＡから送信された承認状況確認処理返答を移動体無線通信部１６を介して受信すると、例えば図５（Ｆ）に示すような「割り勘承認状況画面」を表示部１４に表示（ディスプレイの表示領域内におさまらない画面部分についてはスクロールにより表示）させる（ステップＳ２３）。この割り勘承認状況画面には、承認状況確認結果が表示される。これにより、各利用者による支払い金額の承認状況が利用者Ａに提示される。そのため、代表となる利用者Ａは、他の利用者Ｂ等の支払い金額の承認状況を迅速に確認することができる。また、上記承認状況情報に残高有無を示す情報を含ませることで、代表となる利用者Ａは、図５（Ｆ）に示すように、他の利用者Ｂ等の電子マネーのバリュー残高が支払い金額以上あるかどうかを迅速に確認することができる。なお、承認状況の提示は、スピーカ１３を通じて音声により行うように構成してもよい。ところで、図５（Ｆ）に示す割り勘承認状況画面には、各利用者の残高確認の結果（上記判定結果）として、残高有を示す情報「ＯＫ」が表示されているが、例えば一部の利用者の残高確認の結果として、残高無を示す情報「ＮＧ」が表示される場合もありうる。この場合、利用者Ａは、残高無の利用者に対して支払い金額に相当する電子マネーのバリューの登録を促し、電子マネーのバリューをマネーサーバＳＡへ登録させた後、再度、上記ステップＳ１３以降の処理を行わせるようにしてもよい。この構成によれば、代表となる利用者Ａは、他の利用者が残高不足になることを防止することができる。或いは、この場合、利用者Ａは、残高無の利用者から支払い金額に相当する現金をもらうことで、割り勘承認状況画面で提示された承認状況を了承してもよい。
【００５０】
そして、利用者Ａは、このように提示された承認状況を確認し、了承する場合には、図５（Ｆ）に示すような割り勘承認状況画面に設けられたＯＫボタン５６を指定する。これにより、携帯端末Ｔ１の制御部１７は、支払い総額の支払い指示を受け付け（ステップＳ２４）、例えば、携帯端末をリーダライタにかざすことを促す画面（図示せず）を表示部１４に表示させる。そして、例えば利用者Ａが携帯端末Ｔ１を、利用者Ａを含むグループで利用した店舗に設置されたリーダライタＲ／Ｗに近づけると、リーダライタＲ／Ｗは、携帯端末Ｔ１のＩＣチップ１２を検出する（ステップＳ２５）。より具体的には、携帯端末Ｔ１がリーダライタＲ／Ｗの例えば数ｃｍ以内に近づけられると、リーダライタＲ／Ｗから送出されたポーリングが携帯端末Ｔ１のＩＣチップ１２により受信され、ＩＣチップ１２は、受信したポーリングに対するレスポンスをリーダライタＲ／Ｗへ無線送信する。そして、ＩＣチップ１２からのレスポンスがリーダライタＲ／Ｗにより受信されると、リーダライタＲ／Ｗは、ＩＣチップ１２を検出することになり、情報の送信要求をＩＣチップ１２へ無線送信する。これにより、ＩＣチップ１２は、利用者Ａの会員ＩＤを近距離無線通信によりリーダライタＲ／Ｗへ送信する（ステップＳ２６）。こうして送信された会員ＩＤは、リーダライタＲ／Ｗを介して決済処理端末ＰＴにより受信される。決済処理端末ＰＴは、リーダライタＲ／Ｗから会員ＩＤを受信し、取得する。更に、決済処理端末ＰＴは、利用者Ａを含むグループで利用した店舗の店員により入力された支払い総額を取得する（ステップＳ２７）。なお、支払い総額を示す総額情報は、携帯端末Ｔ１から決済処理端末ＰＴへ送信されるように構成してもよい。そして、決済処理端末ＰＴは、所定の処理（例えば、マネーサーバＳＡへ通信するための処理通番を発行するなど）を行うとともに、上記取得された会員ＩＤ及び総額情報と、施設ＩＤ（会員ＩＤ）とを含む支払い処理要求をネットワークＮＷを介してマネーサーバＳＡへ送信する（ステップＳ２８）。なお、施設ＩＤは、利用者Ａを含むグループで利用した店舗を識別する識別情報である。なお、利用者Ａは、図５（Ｆ）に示す割り勘承認状況画面に設けられたＯＫボタン５６を指定する前に、携帯端末Ｔ１をリーダライタＲ／Ｗに近づけて携帯端末Ｔ１のＩＣチップ１２を検出させるようにしてもよい。この場合、利用者が、図５（Ｆ）に示す割り勘承認状況画面に設けられたＯＫボタン５６を指定すると、携帯端末Ｔ１の制御部１７は、支払い総額の支払い指示を受け付け、上記ステップＳ２６の処理を行うことになる。また、携帯端末Ｔ１の制御部１７は、利用者Ａの会員ＩＤ及び支払い総額を示す総額情報を含む支払い処理要求を、移動体無線通信部１６及びネットワークＮＷを介してマネーサーバＳＡへ直接送信するように構成してもよい。
【００５１】
マネーサーバＳＡのシステム制御部３は、携帯端末Ｔ１又は決済処理端末ＰＴから送信された支払い処理要求等を通信部１を介して受信すると、支払い処理（ステップＳ２９）を開始する。この支払い処理が開始されると、図４に示すように、システム制御部３は、受信された支払い処理要求から会員ＩＤ及び支払い総額を取得する（ステップＳ２９１）。次いで、システム制御部３は、取得した会員ＩＤ及び支払い総額が登録されている割り勘テーブルがあるか否かを判定する（ステップＳ２９２）。つまり、取得された会員ＩＤと支払い総額の組（例えば、1111-1111と18000の組）と一致する会員ＩＤ及び支払い総額が登録された割り勘テーブルが検索される。そして、システム制御部３は、取得した会員ＩＤ及び支払い総額が登録されている割り勘テーブルがないと判定した場合には（ステップＳ２９２：ＮＯ）、ステップＳ２９３へ進み、取得した会員ＩＤ及び支払い総額が登録されている割り勘テーブルがあると判定した場合には（ステップＳ２９２：ＹＥＳ）、当該割り勘テーブルを特定し、ステップＳ２９４へ進む。ステップＳ２９３では、通常の支払い処理が行われる。この通常の支払処理では、取得された会員ＩＤで特定される利用者Ａの電子マネーのバリューから支払い総額に相当するバリューが減算され、当該支払い総額が上記受信された施設ＩＤで特定される店舗の電子マネーのバリューに加算される。なお、この支払い処理では、上記支払い総額が、上記受信された施設ＩＤで特定される店舗に対して支払う金額情報として電子マネーデータベース２１に登録される場合もある。この場合、電子マネー会社から当該店舗への支払いは、上記支払い総額から手数料を引いた上で、店舗の口座へ振込みされる。
【００５２】
一方、ステップＳ２９４では、システム制御部３は、上記特定した割り勘テーブルから支払い処理ＩＤを取得する。次いで、システム制御部３は、上記ステップＳ２９４で取得した支払い処理ＩＤが登録された割り勘承認テーブルから利用者（つまり、携帯端末Ｔ１の利用者Ａと上記承認情報を送信した携帯端末Ｔ２等の利用者Ｂ等）それぞれの会員ＩＤ及び利用者のそれぞれが負担する支払い金額を特定する（ステップＳ２９５）。次いで、システム制御部３は、ステップＳ２９５で特定した各支払い金額と、ステップＳ２９５で特定した各会員ＩＤに対応付けられた電子マネーのバリュー（電子マネーデータベース２１に登録されている電子マネーのバリュー）とを用いて割り勘支払い処理を実行する（ステップＳ２９６）。この割り勘支払い処理では、上記会員ＩＤで特定される利用者それぞれの電子マネーのバリューから当該利用者それぞれの支払い金額に相当するバリューが減算され、上記支払い総額が上記受信された施設ＩＤで特定される店舗の電子マネーのバリューに加算される。例えば、利用者Ａの電子マネーのバリューから当該利用者Ａの支払い金額（４，５００円）に相当するバリューが減算され、利用者Ｂの電子マネーのバリューから当該利用者Ｂの支払い金額（４，５００円）に相当するバリューが減算され、利用者Ｃの電子マネーのバリューから当該利用者Ｃの支払い金額（４，５００円）に相当するバリューが減算され、利用者Ｄの電子マネーのバリューから当該利用者Ｄの支払い金額（４，５００円）に相当するバリューが減算される。そして、上記支払い総額（１８，０００円）が施設ＩＤで特定される店舗の電子マネーのバリューに加算される。なお、上記支払い総額（１８，０００円）が施設ＩＤで特定される店舗に対して支払う金額情報として電子マネーデータベース２１に登録される場合もある。この場合、電子マネー会社から当該店舗への支払いは、上記支払い総額から手数料を引いた上で、施設の口座へ振込みされる。また、電子マネーのバリュー残高が支払い金額に満たない利用者がいる場合、支払い総額の不足が生じるが、この不足する金額は利用者Ａの電子マネーのバリューから減算されるようにするとよい。次いで、システム制御部３は、割り勘テーブルに登録された割り勘情報を、例えば図６（Ｂ）に示すように更新（「支払い状況」項目を「未」→「完了」に更新）し（ステップＳ２９７）、支払い処理を終了する。
【００５３】
ところで、支払者である利用者Ａが、例えば図５（Ａ）に示す割り勘メニュー画面に表示された「３．履歴確認」を指定すると、利用者Ａの会員ＩＤを含む履歴確認要求が携帯端末Ｔ１からマネーサーバＳＡに送信される。マネーサーバＳＡのシステム制御部３は、携帯端末Ｔ１から送信された履歴確認要求を受信すると、当該履歴確認要求に含まれる会員ＩＤに対応付けられて割り勘テーブル及び割り勘承認テーブルに登録されている例えば登録日時が新しい上位所定件数（例えば１０件）の登録情報を履歴情報として取得し携帯端末Ｔ１へ送信する。そして、携帯端末Ｔ１の制御部１７が履歴情報を受信すると、例えば図７（Ａ）に示すような「履歴情報画面」を表示部１４に表示（ディスプレイの表示領域内におさまらない画面部分についてはスクロールにより表示）させる。これにより、利用者Ａは、登録日時が新しい例えば上位１０件の履歴情報を迅速に確認することができる。一方、上記ステップＳ１５の割り勘承認処理呼び出しの送信後、同席者である利用者Ｂが更新情報確認指示（例えば、図５（Ｅ）に示すような画面上をタップ）を行うと、当該利用者Ｂの会員ＩＤを含む更新情報確認要求が携帯端末Ｔ２からマネーサーバＳＡに送信される。マネーサーバＳＡのシステム制御部３は、携帯端末Ｔ２から送信された更新情報確認要求を受信すると、当該更新情報確認要求に含まれる会員ＩＤに対応付けられて割り勘承認テーブルに登録されている支払い処理ＩＤを特定する。そして、システム制御部３は、当該特定した支払い処理ＩＤが登録される割り勘テーブルに登録された支払い状況を示す更新情報（例えば、「未」又は「完了」）を携帯端末Ｔ２へ送信する。これにより、携帯端末Ｔ２の制御部１７が更新情報を受信すると、例えば図７（Ｂ）に示すような「更新情報画面」を表示部１４に表示させる。これにより、利用者Ｂは、自分が一部を負担した支払い総額の支払い状況を迅速に確認することができる。
【００５４】
以上説明したように、実施例１によれば、代表となる利用者Ａが支払い総額と支払い人数と均等割を指定するだけで自動的に各利用者が負担する支払い金額を算出して当該支払い金額を他の利用者Ｂ等に提示して承認依頼するように構成したので、より効率良く割り勘支払い精算を行うことが可能となる。さらに、携帯端末Ｔ１において代表となる利用者Ａに対して他の利用者Ｂ等による支払い金額の承認状況を提示した後にマネーサーバＳＡに対して支払い処理が要求されるように構成したので、代表となる利用者Ａは、支払い指示を行う前に、他の代表者Ｂ等による承認状況を了承することができるため、グループ内の利用者間で揉めることを極力防止することができる。従って、グループが店舗等の施設において商取引を行う際の支払い総額の支払い精算を、より効率良く行うことができる。
【００５５】
なお、上記ステップＳ９において携帯端末Ｔ１の表示部１４に割り勘準備中画面が表示されてから、携帯端末Ｔ１が携帯端末Ｔ２に近づけられるまでの間に、利用者Ａは例えば操作部１５を操作して、利用者Ｂに対するメッセージ（コメント）を入力できるように構成してもよい。この場合、利用者Ｂに対するメッセージが入力された後、例えば利用者Ａが携帯端末Ｔ１を携帯端末Ｔ２に近づけ割り勘承認依頼指示を行うことで携帯端末Ｔ１から携帯端末Ｔ２へ送信される割り勘承認依頼には、上述した支払い処理ＩＤ等に加えて入力されたメッセージが含まれる。そして、携帯端末Ｔ２の制御部１７は、携帯端末Ｔ１から送信された割り勘承認依頼を受信すると、マネーアプリを起動し、図７（Ｃ）に示すような「割り勘承認依頼画面」を表示部１４に表示させる。図７（Ｃ）に示す割り勘承認依頼画面には、利用者Ａにより入力されたメッセージが表示されている。これにより、利用者Ａは、利用者Ｂに対してメッセージを効果的に伝えることができる。なお、利用者Ｂが例えば図５（Ａ）に示す割り勘メニュー画面に表示された「４．メッセージ確認」を指定すると、携帯端末Ｔ１から受信された利用者Ｂに対するメッセージが表示部１４に表示される。
【００５６】
（実施例２）
次に、割り勘方式が不均等割の場合の実施例２について説明する。なお、実施例１において実施例２と共通する動作については説明を省略するものとする。実施例２では、図３に示すステップＳ２において、図８（Ｂ）に示す割り勘情報入力画面に設けられた入力欄５３から割り勘方式として不均等割が入力されると、携帯端末Ｔ１の利用者Ａが負担する支払い金額の入力欄６１が表示される。そして、携帯端末Ｔ１の制御部１７は、利用者Ａの操作に応じて、割り勘情報入力画面に設けられた入力欄５１から支払い総額（図８（Ｂ）に示す例では、２５，０００円）を、入力欄５２から支払い人数（図８（Ｂ）に示す例では、４人）を、入力欄５３から割り勘方式（図８（Ｂ）に示す例では、不均等割）を、入力欄６１から利用者Ａが負担する支払い金額（図８（Ｂ）に示す例では、１０，０００円）を、それぞれ入力する。なお、不均等割の場合、支払い人数は必ずしも入力される必要はない。実施例２では、ステップＳ４でマネーサーバＳＡに送信される支払い処理ＩＤ発行要求には、入力された支払い総額を示す総額情報等に加えて、携帯端末Ｔ１の利用者Ａが負担する支払い金額を示す支払金額情報が含まれる。そして、マネーサーバＳＡのシステム制御部３は、ステップＳ６において、例えば図９（Ａ）に示すように、割り勘情報を割り勘テーブルに登録する。次いで、システム制御部３は、ステップＳ７において、例えば図９（Ｃ）に示すように、支払い処理ＩＤに対応付けて利用者Ａの割り勘承認情報を割り勘承認テーブルに登録する。つまり、実施例２では、携帯端末Ｔ１において入力された支払い金額を示す支払金額情報が割り勘承認テーブルに登録される。
【００５７】
このように利用者Ａの割り勘承認情報が登録された後、実施例１と同様に処理が進み、ステップＳ１３において、携帯端末Ｔ２の制御部１７がマネーアプリを起動すると、図８（Ｄ）に示すような「割り勘承認依頼画面」が表示部１４に表示される。図８（Ｄ）に示す割り勘承認依頼画面には、携帯端末Ｔ２の利用者Ｂが負担する支払い金額の入力欄６２が設けられている。携帯端末Ｔ２の制御部１７は、利用者Ｂの操作に応じて、割り勘承認依頼画面に設けられた入力欄６２から支払い金額（図８（Ｄ）に示す例では、８，０００円）を入力する。これにより、入力欄６２に表示された支払い金額が携帯端末Ｔ２の利用者Ｂに提示される。そして、携帯端末Ｔ２の制御部１７は、提示された支払い金額の承認指示が利用者Ｂからあった場合、上述した承認情報、利用者Ｂの会員ＩＤ及び支払い処理ＩＤに加えて入力された支払い金額を示す支払金額情報を含む承認登録要求（割り勘承認処理呼び出し）をマネーサーバＳＡへ送信することになる（ステップＳ１５）。これにより、承認登録要求を受信したマネーサーバＳＡのシステム制御部３は、ステップＳ１６において、例えば図９（Ｄ）に示すように、支払い処理ＩＤに対応付けて利用者Ｂの割り勘承認情報を割り勘承認テーブルに登録する。つまり、実施例２では、携帯端末Ｔ２において入力された支払い金額を示す支払金額情報が割り勘承認テーブルに登録される。このように利用者Ｂの割り勘承認情報が登録された後、実施例１と同様に処理が進むことになる。
【００５８】
以上説明したように、実施例２によれば、代表となる利用者Ａが支払い総額と不均等割を指定すれば、各利用者は負担する支払い金額を自身で入力することができるので、グループ内の利用者間の立場や役割等の相違に応じて支払い金額を決めることができ、より効率良く割り勘支払い精算を行うことが可能となる。さらに、実施例２でも、実施例１と同様、他の利用者Ｂ等による支払い金額の承認状況を代表となる利用者Ａに提示した後にマネーサーバＳＡへ支払い処理を要求するので、グループ内の利用者間で揉めることを極力防止することができ、グループが店舗等の施設において商取引を行う際の支払い総額の支払い精算を、より効率良く行うことができる。
【００５９】
（実施例３）
次に、割り勘方式が時間比割の場合の実施例３について説明する。なお、実施例１において実施例３と共通する動作については説明を省略するものとする。実施例３は、支払い総額を利用者の在席時間（例えば店舗に入店（施設に入って）から支払いまでの経過時間）に応じて分割する構成である。利用者Ａが例えば店舗に入った際に、図１０（Ｂ）に示す割り勘情報入力画面に設けられた入力欄５３から時間比割が入力され、入力欄５２から支払い人数が入力される。なお、実施例３では、この時点（すなわち、利用者Ａが店舗の利用を開始する時点）では、支払い総額は入力されない。また、実施例３では、ステップＳ４でマネーサーバＳＡに送信される支払い処理ＩＤ発行要求には、人数情報、割り勘方式情報、及び携帯端末Ｔ１の利用者Ａの会員ＩＤが含まれる。そして、マネーサーバＳＡのシステム制御部３は、ステップＳ６において、例えば図１１（Ａ）に示すように、割り勘情報を割り勘テーブルに登録する。ここで、図１１（Ａ）に示す割り勘予約日時は、店舗の利用開始日時とされる。次いで、システム制御部３は、ステップＳ７において、例えば図１１（Ｃ）に示すように、支払い処理ＩＤに対応付けて利用者Ａの割り勘承認情報を割り勘承認テーブルに登録する。このとき、例えば利用者Ｂが店舗に到着していれば、利用者Ａは携帯端末Ｔ１を利用者Ｂの携帯端末Ｔ２に近づけ、その結果、上記ステップＳ１０〜Ｓ１３の処理を経て、図１０（Ｄ）に示すような「割り勘承認依頼画面」が表示部１４に表示される。そして、携帯端末Ｔ２の制御部１７は、図１０（Ｄ）に示すような割り勘承認依頼画面に設けられたＯＫボタン５５が利用者Ｂにより指定されることにより、携帯端末Ｔ２の制御部１７は、時間比割の承認指示を受け付ける（ステップＳ１４）。これにより、携帯端末Ｔ２の制御部１７は、時間比割での支払い承認を示す承認情報、利用者Ｂの会員ＩＤ及び支払い処理ＩＤを含む承認登録要求（割り勘承認処理呼び出し）をマネーサーバＳＡへ送信することになる（ステップＳ１５）。そして、承認登録要求を受信したマネーサーバＳＡのシステム制御部３は、ステップＳ１６において、例えば図１１（Ｄ）に示すように、支払い処理ＩＤに対応付けて利用者Ｂの割り勘承認情報を割り勘承認テーブルに登録する。ここで、図１１（Ｄ）に示す承認日時は、利用者Ｂの参加日時とされる。その後、例えば利用者Ｃが、利用者Ａの入店後に遅れて入店した（例えば、１時間遅れた）場合、利用者Ａは携帯端末Ｔ１を、遅れてきた利用者Ｃの携帯端末Ｔ３に近づける。これにより、利用者Ｂのときと同様の処理が行われ、利用者Ｃの割り勘承認情報が割り勘承認テーブルに登録される。ここで登録された承認日時は、利用者Ｃの参加日時とされる。
【００６０】
その後、時間が経過して店舗の利用を終了して支払い精算をする場合、利用者Ａはマネーアプリを起動させて、割り勘メニュー画面に表示された例えば「２．割り勘」を指定すると、図１０（Ｆ）に示すような「金額入力画面」が表示部１４に表示される。携帯端末Ｔ１の制御部１７は、利用者Ａの操作に応じて、金額入力画面に設けられた入力欄６３から支払い総額（図１０（Ｆ）に示す例では、１６，５００円）を入力する。そして、金額入力画面に設けられたＯＫボタン６４が利用者Ａにより指定される、携帯端末Ｔ１の制御部１７は、入力された支払い総額を示す総額情報、及び支払い処理ＩＤ等が移動体無線通信部１６及びネットワークＮＷを介してマネーサーバＳＡへ送信する。マネーサーバＳＡのシステム制御部３は、携帯端末Ｔ１から送信された総額情報及び支払い処理ＩＤを受信すると、支払い総額を支払い処理ＩＤに対応付けて例えば図１１（Ｂ）に示すように割り勘テーブルに追加登録する。その後、利用者Ａによる承認状況確認指示により、実施例１と同様、ステップＳ２０以降の処理が行われる。ただし、この場合のステップＳ２１では、実施例１とは異なり、時間比割で各利用者の支払い金額が算出される。
【００６１】
時間比割で各利用者の支払い金額を算出する方法を以下に説明する。例えば、システム制御部３は、店舗の利用開始時刻と、店舗の利用終了時刻を取得する。店舗の利用開始時刻は、上記ステップＳ６で割り勘テーブルに登録された割り勘予約日時から得られる。一方、店舗の利用終了時刻は、例えば総額情報が受信された時刻であってもよいし、ステップＳ２０で承認状況確認処理呼び出しが受信されて時刻であってもよい。次いで、システム制御部３は、各利用者の在席時間（利用者の会員ＩＤに対応付けられて割り勘承認テーブルに登録された参加時刻から、店舗の利用終了時刻までの時間）に応じた比率に基づいて、支払い総額から各利用者の支払い金額を算出する。この比率は、在席時間が短くなるほど小さくなるように設定される。図１２（Ａ）は、実施例３において、在席時間に応じた比率の一例を示す図である。図１２（Ａ）に示す例では、利用開始時刻から利用終了時刻まで利用時間の１／２が経過する時刻（１／２タイム）までに参加した利用者の比率は「１．０」である。また、１／２タイム以降、利用時間の１／４が経過する時刻（以下、「１／４タイム」という）までに参加した利用者の比率は「０．８」である。また、１／４タイム以降に参加した利用者の比率は「０．５」である。このような比率にしたがって各利用者の支払い金額が算出される。例えば、利用者Ａは、１／２タイムまでに参加したので、比率は「１．０」となり、利用者Ａの支払い金額は、１６，５００円×（１（比率）／３．３（比率の総和））＝５，０００円となる。一方、利用者Ｃは、１／２タイム以降１／４タイムまでに参加したので、比率は「０．８」となり、利用者Ｃの支払い金額は、１６，５００円×（０．８／３．３）＝４，０００円となる。システム制御部３は、このように算出した各利用者の支払い金額を、各利用者の会員ＩＤに対応付けて、例えば図１２（Ｂ）に示すように割り勘承認テーブルに追加登録する。システム制御部３は、上述したように算出され登録された各利用者の支払い金額を示す承認状況情報を含む承認状況確認処理返答を、ステップＳ２２で、通信部１及びネットワークＮＷを介して携帯端末Ｔ１へ送信することになる。これにより、例えば図１０（Ｇ）に示すような「割り勘承認状況画面」が携帯端末Ｔ１の表示部１４に表示される。
【００６２】
以上説明したように、実施例３によれば、在席時間が他の利用者よりも短いにも拘らず支払い金額が均等とされることが無くなるので、当該在席時間の短い利用者が負担する支払い金額に対して不満を感じることを解消することができる。
【００６３】
次に、上記実施例３の変形例を以下に説明する。上記実施例３の変形例では、例えば、利用者Ａが入店時に、図５（Ａ）に示す割り勘メニュー画面に表示された「５．時刻登録」を指定すると、その時の時刻が利用開始時刻として例えば不揮発性メモリに記憶される。また、利用者Ａが入店した後、遅れて入店した利用者Ｂは自らの携帯端末Ｔ２のマネーアプリを起動させ、携帯端末Ｔ２を携帯端末Ｔ１に近づけた後、図５（Ａ）に示す割り勘メニュー画面に表示された「５．時刻登録」を指定すると、その時の時刻が途中参加時刻として携帯端末Ｔ２から携帯端末Ｔ１へ送信されると共に、当該利用者Ｂの会員ＩＤが携帯端末Ｔ２から携帯端末Ｔ１へ送信される。これにより受信された途中参加時刻及び利用者Ｂの会員ＩＤは、携帯端末Ｔ１の例えば不揮発性メモリに記憶される。こうして記憶された利用開始時刻、途中参加時刻及び利用者Ｂの会員ＩＤは、例えば上記ステップＳ４において支払い処理ＩＤ発行要求に含まれてマネーサーバＳＡに送信される。そして、システム制御部３は、上記ステップＳ６において、受信された支払い処理ＩＤ発行要求に含まれる利用開始時刻、途中参加時刻、及び利用者Ｂの会員ＩＤを、利用者Ａの会員ＩＤ及び総額情報等と共に支払い処理ＩＤに対応付けて割り勘情報として割り勘テーブルに登録する。なお、利用者Ｂ以外にも遅れて入店した利用者がいる場合には、当該利用者の途中参加時刻及び会員ＩＤが割り勘テーブルに登録される。
【００６４】
以上のように、途中参加時刻が登録された場合、システム制御部３は、上記ステップＳ６の処理後、登録された利用開始時刻から、例えば支払い処理ＩＤ発行要求を受信した時の利用終了時刻までの利用時間を算出する。次いで、システム制御部３は、例えば利用者Ｂの会員ＩＤに対応付けられて登録された途中参加時刻から利用終了時刻までの在席時間を算出する。次いで、システム制御部３は、上記算出した利用時間（例えば、２時間）を在席時間（例えば、０．５時間）で除した値を、一人あたりの支払い金額に乗算することで利用者Ｂが負担する支払い金額を算出する。なお、一人あたりの支払い金額は、実施例１と同様、支払い総額を支払い人数で除した金額である。また、利用者Ｂ以外にも途中参加時刻が登録された利用者がいる場合、当該利用者が負担する支払い金額も同様の方法で算出される。次いで、システム制御部３は、支払い総額から利用者Ｂが負担する支払い金額を減算した減算支払い総額を算出する。なお、利用者Ｂ以外にも途中参加時刻が登録された利用者がいる場合、当該減算支払い総額から、当該利用者が負担する支払い金額も減算される。次いで、システム制御部３は、最終的に算出された減算支払い総額を、支払い金額が算出された利用者Ｂ等以外の残りの利用者の人数で除した金額を残りの利用者（例えば、利用者Ａ等）が負担する支払い金額として算出する。こうして算出された利用者Ａが負担する支払い金額は、上記ステップＳ７の処理で利用者Ａの割り勘承認情報に含められて割り勘承認テーブルに登録される。以上のように算出された各利用者が負担する支払い金額を示す支払金額情報は、上記ステップＳ８において各利用者の会員ＩＤに対応付けられて割り勘準備処理返答に含められ、携帯端末Ｔ１へ送信される。そして、割り勘準備処理返答に含まれる各利用者の支払金額情報及び会員ＩＤは、上記ステップＳ１２において割り勘承認依頼に含められ、携帯端末Ｔ２へ送信される。こうして割り勘承認依頼を受信した携帯端末Ｔ２の制御部１７は、割り勘承認依頼画面の表示処理において、割り勘承認依頼に含まれる各利用者の支払金額情報のうち、利用者Ｂの会員ＩＤに対応付けられた支払金額情報に示される支払い金額を表示させる。携帯端末Ｔ２は、利用者Ｂの在席時間に応じた支払い金額を当該利用者Ｂに提示することができる（ステップＳ１４以降の処理は上記と同様）。なお、割り勘承認依頼には、割り勘準備処理返答に含まれる各利用者の支払金額情報のうち、送信先の携帯端末Ｔｎの利用者の会員ＩＤに対応付けられた支払金額情報だけが含まれるように構成してもよい。
【００６５】
なお、上記実施形態において、例えば携帯端末２にマネーアプリがインストールされていない場合、例えば利用者Ｂが携帯端末Ｔ２を、マネーアプリがインストールされている携帯端末Ｔ１に近づけることで、携帯端末Ｔ１と携帯端末Ｔ２との近距離無線通信が確立すると、携帯端末Ｔ１は、ＩＣチップ１２を介して携帯端末Ｔ２へダウンロードＵＲＩを送信する。このダウンロードＵＲＩは、アプリケーション提供サーバからマネーアプリをダウンロードするための情報である。携帯端末Ｔ２の制御部１７は、ダウンロードＵＲＩを受信すると、携帯端末Ｔ２に予めインストールされているマーケットアプリケーション（以下、「マーケットアプリ」という）を起動する。次いで、携帯端末Ｔ２の制御部１７は、起動したマーケットアプリにより、上記ダウンロードＵＲＩで示されるマネーアプリのダウンロード画面を表示する。次いで、携帯端末Ｔ２の制御部１７は、例えば利用者Ｂからのダウンロード指示があった場合、アドレス情報（例えば、起動したマーケットアプリ内で記述されたＩＰアドレス）にしたがって移動体無線通信部１６を介してアプリケーション提供サーバへアクセスし、ダウンロードＵＲＩで示されるマネーアプリをダウンロードする。こうしてダウンロードされたアプリケーションはインストールされた後、起動される。
【符号の説明】
【００６６】
１  通信部
２  記憶部
３  システム制御部
１１  アンテナ
１２  ＩＣチップ
１３  スピーカ
１４  表示部
１５  操作部
１６  移動体無線通信部
１７  制御部
ＳＡ  マネーサーバ
Ｔｎ  携帯端末
ＰＴ  決済処理端末
Ｒ／Ｗ  リーダライタ
ＮＷ  ネットワーク
Ｓ  支払い処理システム
【図１】
0005998658.tif 000002
【図２】
0005998658.tif 000003
【図３】
0005998658.tif 000004
【図４】
0005998658.tif 000005
【図５】
0005998658.tif 000006
【図６】
0005998658.tif 000007
【図７】
0005998658.tif 000008
【図８】
0005998658.tif 000009
【図９】
0005998658.tif 000010
【図１０】
0005998658.tif 000011
【図１１】
0005998658.tif 000012
【図１２】
0005998658.tif 000013